(57)【要約】  無線ネットワークノード（２０、１１０）から測位システム情報を受信するための無線デバイス（１０、１２０）及びその方法。無線デバイス及び無線ネットワークノードは、無線通信ネットワーク（１００）で動作する。無線デバイスは、システム情報（ＳＩ）メッセージに含まれる測位システム情報ブロック（ｐＳＩＢ）に関する情報を含む測位システム情報ブロードキャストスケジューリング情報（ｐＳＩ）を受信する。さらに、無線デバイスは、ｐＳＩＢがｐＳＩＢセグメントにセグメント化されているという表示を受信する。無線デバイスは、表示及びｐＳＩに基づいて、ｐＳＩＢセグメントが連続スケジューリングでスケジューリングされるか否かを判定する。ｐＳＩＢセグメントが連続スケジューリングでスケジューリングされると判定した場合、無線デバイスはスケジューリングされたリソースを監視し、連続スケジューリングされたｐＳＩＢセグメントを読み出し、読み出したｐＳＩＢセグメントの測位システム情報を復号する。
2021520696.tif 000002
【特許請求の範囲】
【請求項１】
無線ネットワークノード（２０、１１０）から測位システム情報を受信するために無線デバイス（１０、１２０）によって実行される方法であって、
前記無線デバイス（１０、１２０）及び前記無線ネットワークノード（２０、１１０）は、無線通信ネットワーク（１００）で動作し、
前記方法は、
前記無線ネットワークノード（２０、１１０）から、システム情報（ＳＩ）メッセージに含まれる測位システム情報ブロック（ｐＳＩＢ）に関する情報を含む測位システム情報ブロードキャストスケジューリング情報（ｐＳＩ）を受信（４０１）することと、
前記ＲＮＮ（２０、１１０）から、ｐＳＩＢがｐＳＩＢセグメントにセグメント化されているという表示を受信（４０２）することと、
前記表示及び前記ｐＳＩに基づいて、前記ｐＳＩＢセグメントが連続スケジューリングでスケジューリングされているか否かを判定（４０３）することと、
前記ｐＳＩＢセグメントが連続スケジューリングでスケジューリングされていると判定した場合、スケジューリングされたリソースを監視（４０４）し、連続スケジューリングされた前記ｐＳＩＢセグメントを読み出すことと、
読み出した前記ｐＳＩＢセグメントの測位システム情報を復号（４０５）することと、
を含む方法。
【請求項２】
請求項１に記載の方法であって、
前記表示は、
前記ｐＳＩＢがセグメント化されているか否かを示す、ｐＳＩＢ毎のセグメント化表示と、
セグメントの総数の表現と、
ＳＩウィンドウ毎にブロードキャストされるセグメント数の表現と、
セグメント番号を示し、ｐＳＩＢを復号することによって前記無線デバイス（１０、１２０）に取得されるｐＳＩＢメタデータと、
ｐＳＩＢに含まれるセグメント表示と、
の内の１つ以上である、方法。
【請求項３】
請求項１又は２に記載の方法であって、
前記ｐＳＩＢセグメントが連続スケジューリングでスケジューリングされているか否かを判定（４０３）することは、前記ｐＳＩＢのｐＳＩＢセグメントのスケジューリングが、測位ＳＩ期間毎に１つのｐＳＩＢセグメントより多い頻度で行われているか否かを判定することを含む、方法。
【請求項４】
請求項３に記載の方法であって、
前記ｐＳＩＢの前記ｐＳＩＢセグメントは、前記測位ＳＩ期間内の連続するＳＩウィンドウにスケジューリングされる、方法。
【請求項５】
請求項３に記載の方法であって、
前記ｐＳＩＢの複数のｐＳＩＢセグメントは、前記測位ＳＩ期間内の１つの同じＳＩウィンドウにスケジューリングされる、方法。
【請求項６】
請求項１から５のいずれか１項に記載の方法であって、
連続スケジューリングされた前記ｐＳＩＢセグメントを読み出すことは、最後のセグメントインジケータを持つｐＳＩＢセグメントが読み出されるまで、前記ｐＳＩＢの前記ｐＳＩＢセグメントを読み出することを含む、方法。
【請求項７】
請求項１から６のいずれか１項に記載の方法であって、さらに、
前記無線デバイス（１０、１２０）の測位を支援するために、復号された前記測位システム情報を使用することを含む、方法。
【請求項８】
無線デバイス（１０、１２０）に測位システム情報を送信するために無線ネットワークノード（ＲＮＮ）（２０、１１０）によって実行される方法であって、
前記ＲＮＮ（２０、１１０）及び前記無線デバイス（１０、１２０）は、無線通信ネットワーク（１００）で動作し、
前記方法は、
測位支援データ要素が複数のセグメントに分離される必要がある測位システム情報ブロック（ｐＳＩＢ）にマッピングされることを判定（６０２）することと、
ＳＩメッセージに含まれるｐＳＩＢに関する情報を含む測位システム情報ブロードキャストスケジューリング情報（ｐＳＩ）をブロードキャスト（６０３）することと、
ｐＳＩＢがｐＳＩＢセグメントにセグメント化されていることの表示をブロードキャスト（６０４）することと、
前記ｐＳＩＢセグメントを連続スケジューリングでスケジューリング（６０５）してブロードキャストすることと、
を含む方法。
【請求項９】
請求項８に記載の方法であって、
前記表示は、
前記ｐＳＩＢがセグメント化されているか否かを示す、ｐＳＩＢ毎のセグメント化表示と、
セグメントの総数の表現と、
ＳＩウィンドウ毎にブロードキャストされるセグメント数の表現と、
セグメント番号を示し、ｐＳＩＢを復号することによって前記無線デバイス（１０、１２０）に取得されるｐＳＩＢメタデータと、
ｐＳＩＢに含まれるセグメント表示と、
の内の１つ以上である、方法。
【請求項１０】
請求項８又は９に記載の方法であって、
前記ｐＳＩＢセグメントを連続スケジューリングでスケジューリング（６０５）することは、前記ｐＳＩＢの前記ｐＳＩＢセグメントを、測位ＳＩ期間毎に前記ｐＳＩＢの１つのｐＳＩＢセグメントより多い頻度でスケジューリングすることを含む、方法。
【請求項１１】
請求項１０に記載の方法であって、
前記ｐＳＩＢの前記ｐＳＩＢセグメントは、前記測位ＳＩ期間内の連続するＳＩウィンドウにスケジューリングされる、方法。
【請求項１２】
請求項１０に記載の方法であって、
前記ｐＳＩＢの複数のｐＳＩＢセグメントは、前記測位ＳＩ期間内の１つの同じＳＩウィンドウにスケジューリングされる、方法。
【請求項１３】
請求項８から１２のいずれか１項に記載の方法であって、さらに、
前記無線通信ネットワーク（１００）で動作するネットワークノード（３０、１３２）から１つ以上の測位支援データ要素を取得（６０１）することを含む、方法。
【請求項１４】
無線デバイス（１０、１２０）に測位システム情報を送信する無線ネットワークノード（２０、１１０）を支援するためにネットワークノード（３０、１３２）によって実行される方法であって、
前記ネットワークノード（３０、１３２）、前記ＲＮＮ（２０、１１０）及び前記無線デバイス（１０、１２０）は、無線通信ネットワーク（１００）で動作し、
前記方法は、
測位システム情報ブロック（ｐＳＩＢ）を準備（８００、１１０１）することと、
前記ｐＳＩＢを前記ＲＮＮ（２０、１１０）に提供（８１０、１１０２）することと、
を含む方法。
【請求項１５】
請求項１４に記載の方法であって、
前記ｐＳＩＢを準備（８００、１１０１）することは、疑似セグメント化されたｐＳＩＢを準備することを含む、方法。
【請求項１６】
請求項１４又は１５に記載の方法であって、さらに、
前記ｐＳＩＢを暗号化し、前記無線通信ネットワーク（１００）で動作するモビリティネットワークノード（ＭＮＮ）（４０、１３０）に解読情報を送信（８２０、１１０３）することを含む、方法。
【請求項１７】
無線ネットワークノード（２０、１１０）から測位システム情報を受信する無線デバイス（１０、１２０）であって、
前記無線デバイス（１０、１２０）及び前記無線ネットワークノード（２０、１１０）は、無線通信ネットワーク（１００）で動作する様に構成され、
前記無線デバイス（１０、１２０）は、
前記無線ネットワークノード（２０、１１０）から、システム情報（ＳＩ）メッセージに含まれる測位システム情報ブロック（ｐＳＩＢ）に関する情報を含む測位システム情報ブロードキャストスケジューリング情報（ｐＳＩ）を受信し、
前記ＲＮＮ（２０、１１０）から、ｐＳＩＢがｐＳＩＢセグメントにセグメント化されているという表示を受信し、
前記表示及び前記ｐＳＩに基づいて、前記ｐＳＩＢセグメントが連続スケジューリングでスケジューリングされているか否かを判定し、
前記ｐＳＩＢセグメントが連続スケジューリングでスケジューリングされていると判定した場合、スケジューリングされたリソースを監視（４０４）し、連続スケジューリングされた前記ｐＳＩＢセグメントを読み出し、
読み出した前記ｐＳＩＢセグメントの測位システム情報を復号（４０５）する様に構成される、無線デバイス。
【請求項１８】
請求項１７に記載の無線デバイス（１０、１２０）であって、
前記表示は、
前記ｐＳＩＢがセグメント化されているか否かを示す、ｐＳＩＢ毎のセグメント化表示と、
セグメントの総数の表現と、
ＳＩウィンドウ毎にブロードキャストされるセグメント数の表現と、
セグメント番号を示し、ｐＳＩＢを復号することによって前記無線デバイス（１２０）に取得されるｐＳＩＢメタデータと、
ｐＳＩＢに含まれるセグメント表示と、
の内の１つ以上である、無線デバイス。
【請求項１９】
請求項１７又は１８に記載の無線デバイス（１０、１２０）であって、
前記無線デバイス（１０、１２０）は、前記ｐＳＩＢのｐＳＩＢセグメントのスケジューリングが、測位ＳＩ期間毎に１つのｐＳＩＢセグメントより多い頻度で行われているか否かを判定する様にさらに構成されることで、前記ｐＳＩＢセグメントが連続スケジューリングでスケジューリングされているか否かを判定する様に構成される、無線デバイス。
【請求項２０】
請求項１９に記載の無線デバイス（１０、１２０）であって、
前記ｐＳＩＢの前記ｐＳＩＢセグメントは、前記測位ＳＩ期間内の連続するＳＩウィンドウにスケジューリングされる、無線デバイス。
【請求項２１】
請求項１９に記載の無線デバイス（１０、１２０）であって、
前記ｐＳＩＢの複数のｐＳＩＢセグメントは、前記測位ＳＩ期間内の１つの同じＳＩウィンドウにスケジューリングされる、無線デバイス。
【請求項２２】
請求項１７から２１のいずれか１項に記載の無線デバイス（１０、１２０）であって、
前記無線デバイス（１０、１２０）は、最後のセグメントインジケータを持つｐＳＩＢセグメントが読み出されるまで、前記ｐＳＩＢの前記ｐＳＩＢセグメントを読み出す様にさらに構成されることで、前記連続スケジューリングされたｐＳＩＢセグメントを読み出す様に構成される、無線デバイス。
【請求項２３】
請求項１７から２２のいずれか１項に記載の無線デバイス（１０、１２０）であって、さらに、
前記無線デバイス（１０、１２０）の測位を支援するために、復号された前記測位システム情報を使用する様に構成される、無線デバイス。
【請求項２４】
無線デバイス（１０、１２０）に測位システム情報を送信する無線ネットワークノード（ＲＮＮ）（２０、１１０）であって、
前記ＲＮＮ（２０、１１０）及び前記無線デバイス（１０、１２０）は、無線通信ネットワーク（１００）で動作し、
前記ＲＮＮ（２０、１１０）は、
測位支援データ要素が複数のセグメントに分離される必要がある測位システム情報ブロック（ｐＳＩＢ）にマッピングされることを判定し、
ＳＩメッセージに含まれるｐＳＩＢに関する情報を含む測位システム情報ブロードキャストスケジューリング情報（ｐＳＩ）をブロードキャスト（６０３）し、
ｐＳＩＢがｐＳＩＢセグメントにセグメント化されていることの表示をブロードキャスト（６０４）し、
前記ｐＳＩＢセグメントを連続スケジューリングでスケジューリング（６０５）してブロードキャストする様に構成される、ＲＮＮ。
【請求項２５】
請求項２４に記載のＲＮＮ（２０、１１０）であって、
前記表示は、
前記ｐＳＩＢがセグメント化されているか否かを示す、ｐＳＩＢ毎のセグメント化表示と、
セグメントの総数の表現と、
ＳＩウィンドウ毎にブロードキャストされるセグメント数の表現と、
セグメント番号を示し、ｐＳＩＢを復号することによって前記無線デバイス（１２０）に取得されるｐＳＩＢメタデータと、
ｐＳＩＢに含まれるセグメント表示と、
の内の１つ以上である、ＲＮＮ。
【請求項２６】
請求項２４又は２５に記載のＲＮＮ（２０、１１０）であって、
前記ＲＮＮ（２０、１１０）は、前記ｐＳＩＢの前記ｐＳＩＢセグメントを、測位ＳＩ期間毎に前記ｐＳＩＢの１つのｐＳＩＢセグメントより多い頻度でスケジューリングする様にさらに構成されることにより、前記ｐＳＩＢセグメントを連続スケジューリングでスケジューリングする様に構成される、ＲＮＮ。
【請求項２７】
請求項２６に記載のＲＮＮ（２０、１１０）あって、
前記ｐＳＩＢの前記ｐＳＩＢセグメントは、前記測位ＳＩ期間内の連続するＳＩウィンドウにスケジューリングされる、ＲＮＮ。
【請求項２８】
請求項２６に記載のＲＮＮ（１０、２０、１１０）であって、
前記ｐＳＩＢの複数のｐＳＩＢセグメントは、前記測位ＳＩ期間内の１つの同じＳＩウィンドウにスケジューリングされる、ＲＮＮ。
【請求項２９】
請求項２２から２８のいずれか１項に記載のＲＮＮ（２０、１１０）であって、さらに、
前記無線通信ネットワーク（１００）で動作するネットワークノード（３０、１３２）から１つ以上の測位支援データ要素を取得する様に構成される、ＲＮＮ。
【請求項３０】
無線デバイス（１０、１２０）に測位システム情報を送信する無線ネットワークノード（ＲＮＮ）（２０、１１０）を支援するネットワークノード（３０、１３２）であって、
前記ネットワークノード（３０、１３２）、前記ＲＮＮ（２０、１１０）及び前記無線デバイス（１０、１２０）は、無線通信ネットワーク（１００）で動作する様に構成され、
前記ネットワークノード（３０、１３２）は、
測位システム情報ブロック（ｐＳＩＢ）を準備し、
前記ｐＳＩＢを前記ＲＮＮ（２０、１１０）に提供する様に構成される、ネットワークノード。
【請求項３１】
請求項３０に記載のネットワークノード（３０、１３２）であって、
前記ネットワークノード（３０、１３２）は、疑似セグメント化されたｐＳＩＢを準備する様にさらに構成されることにより、前記ｐＳＩＢを準備する様に構成される、ネットワークノード。
【請求項３２】
請求項３０又は３１に記載のネットワークノード（３０、１３２）であって、さらに、
前記ｐＳＩＢを暗号化し、
前記無線通信ネットワーク（１００）で動作するモビリティネットワークノード（ＭＮＮ）（４０、１３０）に解読情報を送信する様に構成される、ネットワークノード。
【請求項３３】
少なくとも１つのプロセッサで実行されると、前記少なくとも１つのプロセッサに請求項１から１６のいずれか１項に記載の方法を実行させる命令を含むコンピュータプログラム。
【請求項３４】
請求項３３に記載のコンピュータプログラムを含むキャリアであって、前記キャリアは、電気信号、光信号、無線信号、又は、コンピュータ可読記憶媒体の内の１つである、キャリア。
【発明の詳細な説明】
【技術分野】
【０００１】
本実施形態は、無線ネットワークノード、無線デバイス及びそれらにおいて実行される方法に関する。特に、実施形態は、測位システム情報の送信及び受信に関する。
【背景技術】
【０００２】
典型的な無線通信ネットワークにおいて、無線通信デバイス、移動局、局（ＳＴＡ）及び／又はユーザ装置（ＵＥＳ）としても知られる無線デバイスは、ＷｉＦｉネットワーク又は無線アクセスネットワーク（ＲＡＮ）等のローカルエリアネットワーク（ＬＡＮ）を介して、１つ以上のコアネットワーク（ＣＮ）と通信する。ＲＡＮは、ビーム又はビームグループとしても参照され得るサービスエリア又はセルエリアに分割される地理的領域をカバーし、各サービスエリア又はセルエリアは、例えば、Ｗｉ−Ｆｉアクセスポイント又は無線基地局（ＲＢＳ）等の無線ネットワークノードによりサービス提供され、無線アクセスノードは、幾つかのネットワークにおいては、例えば、"ノードＢ"、"ｅノードＢ"又は５Ｇでの"ｇＮＢ"としても示され得る。サービスエリア又はセルエリアは、無線ネットワークノードによって無線カバレッジが提供される地理的エリアである。無線ネットワークノードは、無線ネットワークノードの範囲内の無線デバイスと、無線周波数で動作するエアインタフェースを介して通信する。
【０００３】
第４世代（４Ｇ）ネットワークとも呼ばれる発展型パケットシステム（ＥＰＳ）の規格化が第３世代パートナーシッププロジェクト（３ＧＰＰ）内において完了し、この作業は、例えば、５Ｇニューレディオ（ＮＲ）としても参照される第５世代（５Ｇ）ネットワークの規格化といった次の３ＧＰＰリリースにおいて継続している。ＥＰＳは、ロングタームエボリューション（ＬＴＥ）無線アクセスネットワークとしても知られる、発展型ユニバーサル地上無線アクセスネットワーク（Ｅ−ＵＴＲＡＮ）と、システムアーキテクチャエボリューション（ＳＡＥ）コアネットワークとしても知られる、発展型パケットコア（ＥＰＣ）と、を含む。Ｅ−ＵＴＲＡＮ／ＬＴＥは、３ＧＰＰ無線アクセスネットワークの変形であり、無線ネットワークノードは、３Ｇネットワークで使用されるＲＮＣではなく、ＥＰＣコアネットワークに直接的に接続される。一般的に、Ｅ−ＵＴＲＡＮ／ＬＴＥにおいて、３ＧのＲＮＣの機能は、例えば、ＬＴＥのｅノードＢといった無線ネットワークノードと、コアネットワークに分散されている。この様に、ＥＰＳのＲＡＮは、本質的に、"フラット"な構成であり、１つ以上のコアネットワークに直接接続される無線ネットワークノードを含み、ＲＮＣには接続されない。それを補うため、Ｅ−ＵＴＲＡＮ規格は、無線ネットワークノード間の直接インタフェースを定義し、このインタフェースは、Ｘ２インタフェースと呼ばれる。
【０００４】
マルチアンテナ技術は、無線通信システムのデータレート及び信頼性を非常に増加させることができる。送信機及び受信機の両方がマルチアンテナを有すると、多入力多出力（ＭＩＭＯ）通信チャネルが形成され、パフォーマンスは、特に改善される。その様なシステム及び／又は関連技術は、通常、ＭＩＭＯとして参照される。
【０００５】
５Ｇの計画では、より高速なピークインターネット接続速度に加えて、現在の４Ｇよりも大容量化を目指しており、単位エリア当たりのモバイルブロードバンドユーザ数を増やし、ユーザ当たり１か月でギガバイト単位の、より高い又は無制限のデータ量の消費を可能にする。これにより、Ｗｉ−Ｆｉホットスポットの範囲外にいるときでも、人口の大部分がモバイルデバイスを使用して高解像度メディアを１日あたり何時間もストリーミングすることが可能になる。５Ｇの研究開発では、４Ｇ機器よりも低コスト、低バッテリ消費及び低遅延を目指して、モノのインターネットとしても知られるマシン間通信のサポートの改善も目指している。
【発明の概要】
【発明が解決しようとする課題】
【０００６】
ＬＴＥ通信ネットワークでの測位は、図１に概略的に示されている、ＵＥと、例えば、発展型サービング移動ロケーションセンタ（Ｅ−ＳＭＬＣ）といったロケーションサーバとの間の、ＬＴＥ測位プロトコル（ＬＰＰ）を介した、直接的な相互作用を有するアーキテクチャによってサポートされる。さらに、ＬＰＰａプロトコルを介したロケーションサーバとｅノードＢ間の相互作用もあり、ある程度は、無線リソース制御（ＲＲＣ）プロトコルを介したｅノードＢとＵＥとの間の相互作用によってサポートされる。
【０００７】
ＵＥの測位は、大規模な商用アプリケーション（例えば、インテリジェント交通、エンターテインメント、産業オートメーション、ロボティクス、遠隔操作、ヘルスケア、スマートパーキング等）への潜在的な可能性と、ＵＳ  ＦＣＣ  Ｅ９１１の要求との関連性とにより、ＬＴＥネットワークの重要な機能として認識されている。
【０００８】
ＬＴＥネットワークは、幅広い測位方法をサポートしている。グローバルナビゲーション衛星システム（ＧＮＳＳ）は、広く使用されている測位方法の１つであり、多くの異なる衛星システムの総称であって、グローバル測位システム（ＧＰＳ）は、デバイスによって最も一般的にサポートされ、ＧＬＯＮＡＳＳ、Ｇａｌｉｌｅｏ、ＢｅｉＤｏｕ及びＱＺＳＳは、他の例である。さらに、衛星システムは、一般に衛星ベース拡張システム（ＳＢＡＳ）として参照される、拡張データをＵＥに提供するために使用され得る。
【０００９】
ＧＮＳＳ技術の最近の機能強化は、例えば、ＵＥといったデバイスが、特定の測定補正情報を取得するためにネットワークノードと相互作用できる、非常に正確な測位のサポートを含む。これらの多くは、海事サービスのための無線技術委員会（ＲＴＣＭ）の仕様策定作業によってキャプチャれている。１つの例は、リアルタイムキネマティック（ＲＴＫ）ＧＮＳＳであり、これは、コード位相のみではなく、個々の衛星からのＧＮＳＳ信号のキャリア位相測定を、１つ以上の参照局からの情報に基づく支援データと共に活用することにより、適切な条件においてリアルタイムでメーターレベルからデシメートル又はセンチメートルレベルまでの測位精度の改善を可能にする差動ＧＮＳＳ測位技術である。したがって、ＬＴＥネットワークでのＲＴＫ  ＧＮＳＳのサポートが提供され、リリース１５の作業項目で標準化中である。ＬＴＥネットワークでのＵＥベースのＧＮＳＳ  ＲＴＫのサポートは、ＵＥにＲＴＫ支援データをＵＥに報告することを含む。支援データは、より一般的な支援されたＧＮＳＳ、ＯＴＤＯＡ情報等、他の種類の測位支援データも含む。
【００１０】
ＵＥに測位支援データを提供するための２つのオプションが標準化されている。第１オプションは、システム情報を測位システム情報で、つまり、測位支援データで拡張することにより、基地局から測位支援データをブロードキャストすることである。第２オプションは、ユニキャストを介して、たとえばＬＰＰを介して、測位支援データを各ＵＥに個別に送信することである。さらに、ユニキャストの別の例として、ＵＥはアプリケーションレイヤでＲＴＫサーバと直接相互作用することもできる。
【００１１】
第１オプション、つまりブロードキャストオプションの場合、測位支援データは、異なる測位支援データ要素に分離され得る。例えば、ＬＴＥのＥ−ＳＭＬＣ、５Ｇのロケーション管理機能（ＬＭＦ）等のロケーションサーバであるネットワークノード（ＮＮ）は、測位支援データ要素を準備し、それらを個別に符号化し、オプションとしてそれらを個別に暗号化して基地局に送信する。基地局は、測位支援データ要素を取得し、測位システム情報ブロック（ｐＳＩＢ）を編集（コンパイル）する。１つ又は複数のｐＳＩＢが、ＳＩメッセージにおいて基地局からブロードキャストされ得る。ｐＳＩＢが大きすぎて単一のＳＩメッセージに収まらない場合、それは、基地局においてセグメント化され得る（オクテットストリングセグメント化）。あるいは、ネットワークノード（ＮＮ）は、ブロードキャストのために基地局に送信する前に、測位支援データ要素を複数のセグメントにセグメント化できる。これらのセグメントは個別に復号され得る（疑似セグメント化）、或いは、復号される前に連結する必要があり得る（オクテットストリングセグメント化）。その場合、セグメントは同じｐＳＩＢタイプにマッピングされるが、異なるセグメントとして示される。
【００１２】
言い換えると、測位支援データ要素は、ネットワークノード、たとえばＥ−ＳＭＬＣが提供するものである。測位支援データは、ＲＴＫデータであり得るが、他のＧＮＳＳデータ、ＯＴＤＯＡデータ、又は、その他のデータであり得る。ネットワークノード、例えば、Ｅ−ＳＭＬＣは、測位支援データ要素を基地局に送信する。受信した測位支援データに基づいて、基地局は、ＳＩメッセージでＵＥに送信されるｐＳＩＢを編集する。
【００１３】
現在のシステム情報ブロードキャストにおいては、スケジューリング情報もブロードキャストされる。各ＳＩＢについて、基地局はＳＩ周期を構成するが、ＳＩウィンドウは総てのＳＩＢで同じである。デバイス、例えば、ＵＥは、ＳＩウィンドウ内の送信データブロックからＳＩＢを識別するために使用されるＳＩ識別子を読み出す。
【００１４】
測位情報ブロードキャストのための現在の最新技術は、ＳＩウィンドウ及びＳＩ周期を構成することである。ＳＩＢが大きすぎる場合（ＬＴＥのＳＩＢ１２にのみＣＭＡＳ警告のために適用可能）、ＳＩＢはセグメント化され、各セグメントは別々のＳＩ期間に送信され、別々のＳＩウィンドウでスケジューリングされ、ＳＩ周期性により時間的に分離される。
【００１５】
ＬＴＥのリリース１５の正確な測位作業項目の１つの目的は、支援データ（ＡＤ）のブロードキャストをサポートする新しいＳＩＢを仕様化することである。
・支援データのブロードキャスト［ＲＡＮ２、ＲＡＮ３、ＳＡ３、ＳＡ２］
○Ａ−ＧＮＳＳ、ＲＴＫ及びＵＥベースＯＴＤＯＡ支援情報のための測位支援情報のシグナリングをサポートする新しいＳＩＢの仕様化
○ＵＥ固有の暗号鍵の配信メカニズムを含む、ブロードキャスト支援データのオプションとしての暗号化手順の仕様化
【課題を解決するための手段】
【００１６】
本明細書における実施形態の開発の一部として、課題をまず特定して議論する。
【００１７】
レイテンシ、つまり、測位支援データ要素がネットワークノード（ＮＮ）で編集されたときから、無線デバイス、例えば、ＵＥがｐＳＩＢを復号するのに十分な情報を読み出し、測位支援データ要素を読み出すときまでの遅延は、測位支援データを取得する際の、ＵＥ、例えば、無線デバイスにとって重要な要素である。データの送信又は受信に遅延がある場合、ＵＥはその位置を正確に決定できなくなり得る。多くのユースケースにおいて、正確な測位が要求される。このようなユースケースの例は、自律走行や他のロボットアプリケーション等のアプリケーションである。従来スキームを使用してｐＳＩＢを送信すると、オクテットストリングセグメント化の場合、暗号化された情報を復号（オプション）して情報を復号する前に、総てのセグメントを取得する必要があり、ＳＩ期間毎に１つのセグメント（秒のオーダ）しかないため、遅延はかなりのものになり、大きな遅延が発生し得る。
【００１８】
したがって、本明細書の実施形態の目的は、測位ＳＩＢの送信及び受信のための無線通信ネットワークの性能を改善して、レイテンシを最小限にすることである。
【００１９】
本明細書の実施形態の一態様によると、目的は、無線ネットワークノード（ＲＮＮ）から測位システム情報を受信するために無線デバイスによって実行される方法によって達成される。無線デバイス及びＲＮＮは、無線通信ネットワークで動作する。
【００２０】
無線デバイスは、ＲＮＮから、システム情報（ＳＩ）メッセージに含まれる測位システム情報ブロック（ｐＳＩＢ）に関する情報を含む測位システム情報ブロードキャストスケジューリング情報（ｐＳＩ）を受信する。
【００２１】
さらに、無線デバイスは、ＲＮＮから、ｐＳＩＢがｐＳＩＢセグメントにセグメント化されているという表示を受信する。
【００２２】
無線デバイスは、表示及びｐＳＩに基づいて、ｐＳＩＢセグメントが連続スケジューリングでスケジューリングされるか否かを判定する。
【００２３】
ｐＳＩＢセグメントが連続スケジューリングでスケジューリングされると判定した場合、無線デバイスは、スケジューリングされたリソースを監視し、連続してスケジューリングされたｐＳＩＢセグメントを読み出す。
【００２４】
無線デバイスは、読み出したｐＳＩＢセグメントの測位システム情報を復号する。
【００２５】
本明細書の実施形態の一態様によると、目的は、無線ネットワークノード（ＲＮＮ）から測位システム情報を受信する無線デバイスによって達成される。無線デバイス及びＲＮＮは、無線通信ネットワークで動作する様に構成される。
【００２６】
無線デバイスは、ＲＮＮから、システム情報（ＳＩ）メッセージに含まれる測位システム情報ブロック（ｐＳＩＢ）に関する情報を含む測位システム情報ブロードキャストスケジューリング情報（ｐＳＩ）を受信する様に構成される。
【００２７】
さらに、無線デバイスは、ＲＮＮから、ｐＳＩＢがｐＳＩＢセグメントにセグメント化されているという表示を受信する様に構成される。
【００２８】
無線デバイスは、表示及びｐＳＩに基づいて、ｐＳＩＢセグメントが連続スケジューリングでスケジューリングされるか否かを判定する様に構成される。
【００２９】
無線デバイスは、ｐＳＩＢセグメントが連続スケジューリングでスケジューリングされると判定した場合、スケジューリングされたリソースを監視し、連続してスケジューリングされたｐＳＩＢセグメントを読み出す様に構成される。
【００３０】
無線デバイスは、読み出したｐＳＩＢセグメントの測位システム情報を復号する様に構成される。
【００３１】
本明細書の実施形態の別の態様によると、目的は、測位システム情報を無線デバイスに送信するために無線ネットワークノード（ＲＮＮ）によって実行される方法によって達成される。ＲＮＮ及び無線デバイスは、無線通信ネットワークで動作する。
【００３２】
ＲＮＮは、測位支援データ要素が、複数のセグメントに分離される必要がある測位システム情報ブロック（ｐＳＩＢ）にマッピングされることを判定する。
【００３３】
ＲＮＮは、ＳＩメッセージに含まれるｐＳＩＢに関する情報を含む測位システム情報ブロードキャストスケジューリング情報（ｐＳＩ）をブロードキャストする。
【００３４】
さらに、ＲＮＮは、ｐＳＩＢがｐＳＩＢセグメントにセグメント化されるという表示をブロードキャストする。
【００３５】
さらに、ＲＮＮは、連続スケジューリングでｐＳＩＢセグメントをスケジューリングしてブロードキャストする。
【００３６】
本明細書の実施形態の別の態様によると、目的は、測位システム情報を無線デバイスに送信する無線ネットワークノード（ＲＮＮ）によって達成される。ＲＮＮ及び無線デバイスは、無線通信ネットワークで動作する様に構成される。
【００３７】
ＲＮＮは、測位支援データ要素が、複数のセグメントに分離される必要がある測位システム情報ブロック（ｐＳＩＢ）にマッピングされることを判定する様に構成される。
【００３８】
ＲＮＮは、ＳＩメッセージに含まれるｐＳＩＢに関する情報を含む測位システム情報ブロードキャストスケジューリング情報（ｐＳＩ）をブロードキャストする様に構成される。
【００３９】
さらに、ＲＮＮは、ｐＳＩＢがｐＳＩＢセグメントにセグメント化されるという表示をブロードキャストする様に構成される。
【００４０】
さらに、ＲＮＮは、連続スケジューリングでｐＳＩＢセグメントをスケジューリングしてブロードキャストする様に構成される。
【００４１】
本明細書の実施形態の別の態様によると、目的は、測位システム情報を無線デバイスに送信する無線ネットワークノード（ＲＮＮ）を支援するためにネットワークノードによって実行される方法によって達成される。ネットワークノード、ＲＮＮ及び無線デバイスは、無線通信ネットワークで動作する。
【００４２】
ネットワークノードは、測位システム情報ブロック（ｐＳＩＢ）を準備し、ｐＳＩＢをＲＮＮに提供する。
【００４３】
本明細書の実施形態の別の態様によると、目的は、測位システム情報を無線デバイスに送信する無線ネットワークノード（ＲＮＮ）を支援するためのネットワークノードによって達成される。ネットワークノード、ＲＮＮ及び無線デバイスは、無線通信ネットワークで動作する様に構成される。
【００４４】
ネットワークノードは、測位システム情報ブロック（ｐＳＩＢ）を準備し、ｐＳＩＢをＲＮＮに提供する様に構成される。
【００４５】
本明細書で開示される実施形態の幾つかの利点は、ｐＳＩＢセグメントが連続したスケジューリングでブロードキャストされるため、ｐＳＩＢセグメントがブロードキャストされ、ターゲットデバイス、例えば、無線デバイスによって低遅延で読み出されることである。
【００４６】
本明細書の実施形態の例が、添付の図面を参照してより詳細に説明される。
【図面の簡単な説明】
【００４７】
【図１】従来技術による、測位をサポートするＬＴＥ通信ネットワークを示す概略ブロック図。
【図２】無線通信ネットワークの実施形態を示すブロック図。
【図３】無線通信ネットワークの実施形態を示すブロック図。
【図４】無線デバイスでの方法の実施形態のフローチャート。
【図５】無線デバイスの実施形態を示すブロック図。
【図６】無線ネットワークノードでの方法の実施形態のフローチャート。
【図７】無線ネットワークノードの実施形態を示すブロック図。
【図８ａ】従来のスケジューリングを示すブロック図。
【図８ｂ】連続スケジューリングの実施形態を示すブロック図。
【図８ｃ】連続スケジューリングの実施形態を示すブロック図。
【図９】無線デバイスでの方法の実施形態のフローチャート。
【図１０】無線デバイスでの方法の実施形態のフローチャート。
【図１１】無線通信ネットワークでの例示的なシグナリングを示すブロック図及びフローチャートの結合図。
【図１２】ＭＮでの方法の実施形態のフローチャート。
【図１３】中間ネットワークを介してホストコンピュータに接続された通信ネットワークを示す図。
【図１４】基地局を介した部分的な無線接続によりユーザ装置と通信するホストコンピュータの一般化したブロック図。
【図１５】ホストコンピュータ、基地局及びユーザ装置を含む通信システムで実行される方法を示すフローチャート。
【図１６】ホストコンピュータ、基地局及びユーザ装置を含む通信システムで実行される方法を示すフローチャート。
【図１７】ホストコンピュータ、基地局及びユーザ装置を含む通信システムで実行される方法を示すフローチャート。
【図１８】ホストコンピュータ、基地局及びユーザ装置を含む通信システムで実行される方法を示すフローチャート。
【発明を実施するための形態】
【００４８】
本明細書の実施形態は、ＧＮＳＳ、ＲＴＫ、測位、ＳＩＢを参照し得る。
【００４９】
本明細書で開示される幾つかの実施形態によると、測位ＳＩＢ（ｐＳＩＢ）は、特定の測位システム情報スケジューリング情報（ｐＳＩ）に関連付けられると想定される。測位システム情報スケジューリング情報（ｐＳＩ）は、本質的に、どのＳＩメッセージにどのｐＳＩＢが含まれているかのリストである。さらに、ｐＳＩＢの処理、スケジューリング及び受信のために、専用の動作が設計される。
【００５０】
特に、無線デバイスの動作は、ｐＳＩのｐＳＩＢセグメント化の表示に依存する。無線デバイスは、ｐＳＩＢセグメント化の表示に基づいて、連続スケジューリングがｐＳＩＢセグメントに考慮されているかを判定する。セグメント表示は、総てのｐＳＩＢに対して一般的であるか、ｐＳＩＢタイプ毎に一般的であり得る。
【００５１】
図２は、無線通信ネットワークの論理エンティティをより一般的な用語で概略的に示している。ターゲットデバイス又はＵＥ１０、１２０は、通常は、無線基地局２０、１１０である無線ネットワークノード（ＲＮＮ）によりＳＩメッセージ内のｐＳＩＢとしてブロードキャストされる測位支援データ要素によってサポートされる測位測定を実行するエンティティであり、ＲＮＮは、より一般的には、送信ポイント、無線ヘッド、セルｅＮＢ、ｇＮＢ等とも呼ばれる。ブロードキャストされる情報は、Ｅ−ＳＭＬＣ、ＬＭＦ等のロケーションサーバであり得るネットワークノード（ＮＮ）３０、１３２によって準備される。オプションとして、ブロードキャストのために測位支援データは、ＮＮ３０、１３２で暗号化され、その場合、復号／解読鍵がＮＮ３０、１３２からモビリティネットワークノード（ＭＮＮ）４０、１３０に送信される。ＭＮＮ４０、１３０は、ＥＰＣのＭＭＥ、５ＧコアのＡＭＦ、又は、その他のコアネットワークノードであり得る。暗号化されたデータの場合、ＵＥ１０、１２０はＭＮＮ４０、１３０から復号／解読鍵を取得する。
【００５２】
本明細書の実施形態は、主にＬＴＥ無線デバイスを用いて例示されるが、ＣＡＴ−Ｍ、ＮＢ−ＩｏＴ、ＷｉＦｉ、又は、ＮＲキャリア等の他の無線アクセス技術によってサービスされる他の無線デバイスに適用可能であり得る。
【００５３】
本実施形態は、一般的に無線通信ネットワークに関する。図３は、無線通信ネットワーク１００の概略を示している。無線通信ネットワーク１００は、レディオ通信ネットワークとしても参照され得る。無線通信ネットワーク１００は、１つ又は複数の無線アクセスネットワーク（ＲＡＮ）と、１つ又は複数のコアネットワーク（ＣＮ）と、を有する。無線通信ネットワーク１００は、幾つかの可能な実装に言及すると、ＮＢ−ＩоＴ、ＣＡＴ−Ｍ、ＷｉＦｉ、ｅＭＴＣ、ロングタームエボリューション（ＬＴＥ）、ＬＴＥアドバンスド、５Ｇ、ニューレディオ（ＮＲ）、広帯域符号分割多重アクセス（ＷＣＤＭＡ（登録商標））、グローバルシステム・フォー・モバイルコミュニケーションズ／エンハンスド・データレート・フォー・ＧＳＭエボリューション（ＧＳＭ／ＥＤＧＥ）、ワールドワイド・インタオペラビリィティ・フォー・マイクロウェーブアクセス（ＷｉＭａｘ）、又は、ウルトラモバイルブロードバンド（ＵＭＢ）等の多くの異なる技術を使用し得る。この開示では、無線通信ネットワーク１００は、単にネットワークとしても参照され得る。
【００５４】
無線通信ネットワーク１００において、無線デバイス、例えば、第１ＵＥ１２０としても参照される無線デバイス１０、１２０は、無線通信ネットワーク１００で動作している。１つ又は複数の第２ＵＥ１２２としても参照される１つ又は複数のさらなる無線デバイス１２２は、無線通信ネットワーク１００において動作し得る。図３に概略的に示される様に、無線デバイス１２０、１２２は、例えば、以下に説明するネットワークノード１１０といったネットワークノードと通信し得る。
【００５５】
無線デバイス１２０、１２２は、それぞれ、１つ又は複数のアクセスネットワーク（ＡＮ）、例えば、ＲＡＮを介して１つ以上のコアネットワーク（ＣＮ）と通信する、例えば、移動局、非アクセスポイント（非ＡＰ）ＳＴＡ、ＳＴＡ、ユーザ装置及び／又は無線端末、ＮＢ−ＩｏＴデバイス、ｅＭＴＣデバイス、ＣＡＴ−Ｍデバイス、ＷｉＦｉデバイス、ＬＴＥデバイス、ＮＲデバイスであり得る。"無線デバイス"は、例えば、スマートフォン、ラップトップ、移動電話、センサ、中継器、モバイルタブレット、セル内で通信するスモール基地局といった、無線通信端末、ユーザ装置、デバイス・トゥ・デバイス（Ｄ２Ｄ）端末又はノードの様な任意端末を意味する非限定的な用語である。
【００５６】
第１ネットワークノード１１０としても参照される無線ネットワークノード（ＲＮＮ）２０、１１０等のネットワークノードは、無線通信ネットワーク１００で動作し、５Ｇ、ＬＴＥ、Ｗｉ−Ｆｉ、ＮＢ−ＩｏＴ、ＣＡＴ−Ｍ、Ｗｉ−Ｆｉ、ｅＭＴＣ等の第１無線アクセス技術（ＲＡＴ）のビーム、又はビームグループとしても参照され得る１つ又は複数の地理的エリア、１つ又は複数のサービスエリア１１に渡って無線カバレッジを提供する。無線ネットワークノード１１０は、使用されている無線アクセス技術及び使用される用語に応じて、例えば、無線ローカルエリアネットワーク（ＷＬＡＮ）アクセスポイント、又は、アクセスポイント局（ＡＰ  ＳＴＡ）や、アクセスコントローラや、例えば、ノードＢ、発展型ノードＢ（ｅＮＢ、ｅノードＢ）、ｇＮＢ、ベース送受信機局、無線遠隔ユニット、アクセスポイント基地局、基地局ルータ、無線基地局の送信装置、スタンドアローンアクセスポイントの様な無線基地局といった基地局や、例えば、ネットワークノード１１０によりサービスされるサービス領域内で無線デバイスと通信できる任意の他のネットワークユニットの様な無線アクセスネットワークノードといった、送受信ポイントであり得る。無線ネットワークノード１１０は、サービング無線ネットワークノードとしても参照され、無線デバイス１２０、１２２への下りリンク（ＤＬ）送信及び無線デバイス１２０、１２２からの上りリンク（ＵＬ）送信により、無線デバイス１２０、１２２と通信する。
【００５７】
第２ネットワークノード１３０としても参照されるモビリティネットワークノード（ＭＮＮ）４０、１３０等の更なるネットワークノードは、無線通信ネットワーク１００で動作する。ネットワークノード１３０は、ＬＴＥアクセスネットワーク、サービングゲートウェイ（ＳＧＷ）及びパケットデータネットワークゲートウェイ（ＰＧＷ）の制御ノードであるＭＭＥであり得る。ＭＭＥは、再送信を含む追跡及びページング手順を担当する。さらに、ネットワークノード１３０は、運用及びサポートシステム無線及びコア（ＯＳＳ−ＲＣ）ノード又はエリクソンネットワーク管理（ＥＮＭ）ノード等の運用及び保守（ＯＡＭ）ノードであり得る。
【００５８】
ロケーションサーバ３０、１３２及び測位サーバ１３４等の更なるネットワークノードは、無線通信ネットワーク１００で動作する。例えば、ロケーションサーバ３０、１３２はＥ−ＳＭＬＣであり、測位サーバ１３４はＲＴＫサーバであり得る。ロケーションサーバ１３２及び測位サーバ１３４は、通信インタフェースを介して互いに通信し得る。
【００５９】
測位サーバ１３４は無線通信ネットワーク１００の外部に配置されてもよく、そのようなシナリオにおいて、測位サーバ１３４は外部測位サーバ１３２として参照され、ロケーションサーバ１３２及び測位サーバ１３４はＩＰインタフェース経由で通信し得ることが理解される。
【００６０】
測位サーバ１３４は、本明細書においては、ＲＴＫサーバ又はＲＴＫネットワークプロバイダとしても参照され得る。
【００６１】
本明細書の実施形態による方法は、例えば、ｇＮＢの様なネットワークノード１１０、例えば、ＵＥである無線デバイス１２０、モビリティネットワークノード１３０、ロケーションサーバ１３２及び／又は測位サーバ１３４の任意のものにより実行され得る。代わりに、分散ノード（ＤＮ）と、例えば、図３に示すクラウド１４０に含まれる機能が、本方法を実行する、或いは、本方法を部分的に実行するために使用され得る。
【００６２】
本明細書の幾つかの実施形態のアクション
無線デバイス１０、１２０によって実行される方法の実施形態を示すフローチャートの例示的な実施形態、例えば、測位システム情報を受信すること、すなわち測位支援データを受信することが図４に示されており、以下でより詳細に説明する。上述した様に、無線デバイス１０、１２０及びＲＮＮ２０、１１０は、無線通信ネットワーク１００で動作する。この方法は、任意の適切な順序で行われ得る以下のアクションのうちの１つ又は複数を含み得る。さらに、１つ又は複数のアクションはオプションであってもよく、アクションが組み合わせ得ることを理解されたい。
【００６３】
アクション４０１において、無線デバイス１０、１２０は、測位システム情報ブロードキャストスケジューリングの詳細ｐＳＩをＲＮＮ２０、１１０から取得又は受信する。本明細書において、測位システム情報ブロードキャストスケジューリングの詳細ｐＳＩは、測位システム情報ブロードキャストスケジューリング情報、測位システム情報スケジューリング情報、又は、単にｐＳＩＢスケジューリング情報若しくは測位スケジューリング情報としても参照される。上述した様に、測位システム情報スケジューリング情報ｐＳＩは、どのＳＩメッセージにどのｐＳＩＢが含まれるかについての情報を含む。したがって、測位システム情報スケジューリング情報ｐＳＩに基づいて、無線デバイス１０、１２０は、ＳＩメッセージに含まれるｐＳＩＢに関する情報を取得する。以下で説明する様に、スケジューリング情報は、測位ＳＩＢスケジューリング情報ｐＳＩに編集（コンパイル）される。この様に、特定の測位システム情報スケジューリング情報ｐＳＩに基づいて、無線デバイス１０、１２０は、ｐＳＩＢがどの様にスケジューリングされるかについての情報も取得し得る。
【００６４】
アクション４０２において、無線デバイス１０、１２０は、ＲＮＮ２０、１１０から、ｐＳＩＢがセグメント化されるという表示を取得又は受信する。この様に、無線デバイス１０、１２０は、ＲＮＮ２０、１１０から、ｐＳＩＢがｐＳＩＢセグメントにセグメント化されているという表示を受信又は取得する。以下のセクション５．２"測位ＳＩＢセグメント化の表示"で説明する様に、表示は以下の内の１つ以上であり得る。
−ｐＳＩＢがセグメント化されているか否かを示すｐＳＩＢ毎のセグメント化表示
−セグメントの総数の表現
−ＳＩウィンドウ毎にブロードキャストされるセグメント数の表現
−セグメント番号を示し、無線デバイス１２０がｐＳＩＢを復号することによって取得するｐＳＩＢメタデータ
−ｐＳＩＢに含まれるセグメント表示。
【００６５】
アクション４０３において、無線デバイス１０、１２０は、表示と、ｐＳＩＢスケジューリング情報、すなわち、アクション４０１で述べた、取得又は受信した測位システム情報ブロードキャストスケジューリング詳細ｐＳＩと、に基づいて、ｐＳＩＢセグメントが連続スケジューリングでスケジューリングされるかどうかを判定する。
【００６６】
幾つかの実施形態において、無線デバイス１０、１２０は、ｐＳＩＢのｐＳＩＢセグメントのスケジューリングが、測位ＳＩ期間当たり１つのｐＳＩＢセグメントよりも多い頻度に行われているか否かを判定することにより、ｐＳＩＢセグメントが連続スケジューリングでスケジューリングされるかどうかを判定する。例えば、ｐＳＩＢのｐＳＩＢセグメントは、測位ＳＩ期間内の連続するＳＩウィンドウにスケジューリングされ得る、或いは、ｐＳＩＢの複数のｐＳＩＢセグメントは、測位ＳＩ期間内の１つの同じＳＩウィンドウにスケジューリングされ得る。
【００６７】
ｐＳＩＢセグメントが連続スケジューリングでスケジューリングされる場合、アクション４０４において、デバイス１０、１２０は、連続してスケジューリングされたｐＳＩＢセグメントのスケジューリングされたリソースを監視し、連続してスケジューリングされたｐＳＩＢセグメントを読み出す。この様に、ｐＳＩＢセグメントが連続スケジューリングでスケジューリングされていると判定した場合、無線デバイス１０、１２０は、スケジューリングされたリソースを監視し、連続してスケジューリングされたｐＳＩＢセグメントを読み出す。
【００６８】
以下で説明する様に、無線デバイス１０、１２０は、最後のセグメントインジケータを有するｐＳＩＢセグメントを読み出すまで、ｐＳＩＢのｐＳＩＢセグメントを読み出すことにより、連続スケジューリングされたｐＳＩＢセグメントを読み出し得る。
【００６９】
アクション４０５において、デバイス１０、１２０は、例えば、測位システム情報、つまり、読み出されたｐＳＩＢセグメントの測位支援データといった情報を復号し、測位を支援するためにその情報を使用する。言い換えると、無線デバイス１０、１２０は、読み出したセグメントの情報を復号し、（衛星、セルラエンティティ、他の無線デバイス等からの）どの測位信号が利用できるか、どの無線リソースで測位信号が送信されるか、或いは、その位置を判定するために、その情報を使用する。この様に、無線デバイス１０、１２０は、無線デバイス１０、１２０の測位を支援するために、復号された測位システム情報を使用し得る。
【００７０】
方法アクションを実行するため、例えば、測位システム情報を受信するために、無線デバイス１０、１２０は、図５に示す構成を含み得る。無線デバイス１２０は、例えば、本明細書で説明するアクションの１つ又は複数を実行する様に構成された、送信ユニット５０１と、受信ユニット５０２と、読出ユニット５０３と、判定ユニット５０４と、監視ユニット５０５と、復号ユニット５０６と、測位ユニット５０７と、を備え得る。
【００７１】
無線デバイス１０、１２０は、例えば、送信ユニット５０１によって、通信ネットワーク１００で動作する１つ又は複数のノードに信号、メッセージ又は情報を送信する様に構成され得る。
【００７２】
無線デバイス１０、１２０は、例えば、受信ユニット５０２又は読出ユニット５０３によって、無線ネットワークノード２０、１１０から、システム情報（ＳＩ）メッセージに含まれる測位システム情報ブロック（ｐＳＩＢ）に関する情報を含む測位システム情報ブロードキャストスケジューリング情報（ｐＳＩ）を受信又は読み出す様に構成される。
【００７３】
さらに、無線デバイス１０、１２０は、ＲＮＮ２０、１１０から、ｐＳＩＢがｐＳＩＢセグメントにセグメント化されているという表示を受信又は取得する様に構成される。以下のセクション５．２"測位ＳＩＢセグメント化の表示"で説明する様に、表示は以下の内の１つ以上であり得る。
ｐＳＩＢがセグメント化されているか否かを示す、ｐＳＩＢ毎のセグメント化表示
セグメントの総数の表現
ＳＩウィンドウ毎にブロードキャストされるセグメント数の表現
セグメント番号を示し、無線デバイス１２０がｐＳＩＢを復号することで取得するｐＳＩＢメタデータ
ｐＳＩＢに含まれるセグメント表示
【００７４】
さらに、無線デバイス１０、１２０は、連続してスケジューリングされたｐＳＩＢセグメントを読み出す様に構成される。
【００７５】
幾つかの実施形態において、無線デバイス１０、１２０は、最後のセグメントインジケータを有するｐＳＩＢセグメントを読み出すまで、ｐＳＩＢのｐＳＩＢセグメントを読み出す様に構成されることにより、連続してスケジューリングされたｐＳＩＢセグメントを読み出す様に構成される。
【００７６】
無線デバイス１０、１２０は、例えば、判定ユニット５０４によって、ｐＳＩＢセグメントが連続スケジューリングでスケジューリングされるかどうかを判定する様に構成される。無線デバイス１０、１２０は、表示及びｐＳＩに基づいて判定を実行する様に構成される。
【００７７】
無線デバイス１０、１２０は、ｐＳＩＢのｐＳＩＢセグメントのスケジューリングが、測位ＳＩ期間当たり１つのｐＳＩＢセグメントよりも多い頻度で行われるかどうかを判定する様に構成されることにより、ｐＳＩＢセグメントが連続スケジューリングでスケジューリングされるか否かを判定する様に構成される。
【００７８】
ｐＳＩＢのｐＳＩＢセグメントは、測位ＳＩ期間内の連続するＳＩウィンドウにスケジューリングされ得る、或いは、ｐＳＩＢの複数のｐＳＩＢセグメントは、測位ＳＩ期間内の１つの同じＳＩウィンドウにスケジューリングされ得る。
【００７９】
ｐＳＩＢセグメントが連続スケジューリングでスケジューリングされると判定した場合、無線デバイス１０、１２０は、例えば、監視ユニット５０５によって、スケジューリングされたリソースを監視する様に構成される。
【００８０】
無線デバイス１０、１２０は、例えば、復号ユニット５０６によって、読出したｐＳＩＢセグメントの測位システム情報を復号する様に構成される。
【００８１】
幾つかの実施形態において、無線デバイス１０、１２０は、例えば、測位ユニット５０７によって、無線デバイス１０、１２０の測位を実行する様に構成される。この様に、無線デバイス１０、１２０は、無線デバイス１０、１２０の測位を支援するために、復号された測位システム情報を使用する様に構成され得る。
【００８２】
当業者はまた、上記の無線デバイス１０、１２０内のユニットが、アナログ及びデジタル回路の組み合わせ、及び／又は、ソフトウェア及び／又はファームウェアで構成された１つ又は複数のプロセッサを参照することを理解し、例えば、ソフトウェア及び／又はファームウェアは、無線デバイス１２０に格納され、上述のプロセッサ等の１つ又は複数のプロセッサによって実行される。これらのプロセッサの１つ以上、及びその他のデジタルハードウェアは、単一の特定用途向け集積回路（ＡＳＩＣ）に含まれている場合もあれば、個別にパッケージ化又はシステムオンチップ（ＳｏＣ）にアセンブルされているかどうかに拘わらず、複数のプロセッサ及び様々なデジタルハードウェアが様々な個別のコンポーネントに分散され得る。
【００８３】
無線デバイス１０、１２０は、ネットワークノード２０、１１０及びロケーションサーバ４０、１３２と通信する様に構成された入出力インタフェース５００を備え得る。入出力インタフェースは、無線受信機（図示せず）及び無線送信機（図示せず）を備え得る。
【００８４】
本実施形態は、図５に示す無線デバイス１０、１２０の処理回路のプロセッサ５０８の様な、各プロセッサ又は１つ以上のプロセッサと、本明細書の実施形態の機能及びアクションを実行する各コンピュータプログラムコードと、により実現され得る。上記プログラムコードは、例えば、無線デバイス１２０にロードされると、本実施形態を実行するコンピュータプログラムコードを搬送するデータキャリアの形式といった、コンピュータプログラム製品としても提供され得る。その様なキャリアの１形式は、ＣＤ  ＲＯＭである。しかしながら、メモリスティックの様な他のデータキャリアも可能である。コンピュータプログラムコードは、サーバ上の純粋なプログラムコードとしても提供され、無線デバイス１２０にダウンロードされる。
【００８５】
無線デバイス１２０は、さらに、１つ以上のメモリユニットを含むメモリ５０９を備え得る。メモリは、無線デバイス１２０内のプロセッサによって実行可能な命令を含む。
【００８６】
メモリは、例えば、無線デバイス１２０で実行されるときに本明細書の方法を実行するためのデータ、構成及びアプリケーションを格納する様に構成される。
【００８７】
無線デバイス１０、１２０の幾つかの実施形態は、以下を含み得る。
処理ユニットによって判定された監視に従って、ｐＳＩＢスケジューリング情報及びｐＳＩＢを監視及び読み出す様に構成された無線回路
ｐＳＩＢスケジューリング情報及びｐＳＩＢセグメントを格納する様に構成されたストレージ
ｐＳＩＢスケジューリング情報に基づいてｐＳＩＢの監視を判定し、ｐＳＩＢセグメントが連続してスケジューリングされているか否かを判定し、ｐＳＩ、ｐＳＩＢ及びｐＳＩＢセグメントを処理する様に構成された処理ユニット
【００８８】
例えば、ｅＮＢである無線ネットワークノード２０、１１０によって実行される、測位システム情報を無線デバイス１０、１２０に送信するための方法の実施形態を示すフローチャートの例示的な実施形態が図６に示され、以下でより詳細に説明する。上述した様に、ＲＮＮ２０、１１０及び無線デバイス１０、１２０は、無線通信ネットワーク１００で動作する。この方法は、任意の適切な順序で行われ得る以下のアクションのうちの１つ又は複数を含み得る。さらに、１つ又は複数のアクションはオプションであってもよく、アクションが組み合わせ得ることを理解されたい。
【００８９】
アクション６０１において、ＲＮＮ２０、１１０は、例えば、ロケーションサーバ、Ｅ−ＳＭＬＣ、ＬＭＦといったネットワークノード（ＮＮ）３０、１３２から１つ又は複数の測位支援データ要素を取得する。
【００９０】
測位支援データ要素の例は信号や、（衛星から提供される航法メッセージ等の）オービット等のＧＮＳＳ衛星情報、参照ステーションからの、大気遅延、クロックバイアス、クロックドリフト等のエラー寄与パラメータとしての物理的又は非物理的な観測（グリッドポイント位置での計算された観測）であるＧＮＳＳ  ＲＴＫ修正、ＯＴＤＯＡ支援データ等である。
【００９１】
アクション６０２において、ＲＮＮ２０、１１０は、測位支援データ要素が、複数のセグメントに分離される必要がある測位ＳＩＢ（ｐＳＩＢ）にマッピングされるか否かを判定する。言い換えると、これは、ＲＮＮ２０、１１０は、測位支援データ要素が、複数のセグメントに分離される必要がある測位ＳＩＢ（ｐＳＩＢ）にマッピングされるか否かを判定することを意味する。本明細書で開示される実施形態は、ｐＳＩＢを複数のセグメントに分離する必要がある場合に関連し、そのような場合、ＲＮＮ２０、１１０は、測位支援データ要素が複数のセグメントに分離される必要があるｐＳＩＢにマッピングされることを判定する。
【００９２】
ｐＳＩＢの実際の分離は、例えば、ロケーションサーバとったネットワークノード３０、１３２によって実行され、セグメントは、送信のためにネットワークノード３０、１３２からＲＮＮ２０、１１０に渡され得る。ＲＮＮ２０、１１０は、例えば、複数のセグメントが存在することを認識することにより、ｐＳＩＢが複数のセグメントで送信される必要があると判定した場合、ＲＮＮ２０、１１０は、以下で説明する様に、送信のために連続スケジューリングを使用する。
【００９３】
アクション６０３において、無線ネットワークノード２０、１１０は、測位システム情報ブロードキャストスケジューリング詳細をｐＳＩの形でブロードキャストする。上述した様に、測位システム情報ブロードキャストスケジューリング詳細は、本明細書では、測位システム情報スケジューリング情報又は単にｐＳＩＢスケジューリング情報として参照され得る。上述した様に、測位システム情報スケジューリング情報は、ＳＩメッセージに含まれるｐＳＩＢに関する情報を含む。この様に、無線ネットワークノード２０、１１０は、ＳＩメッセージに含まれるｐＳＩＢに関する情報を含む測位システム情報ブロードキャストスケジューリング情報（ｐＳＩ）をブロードキャストする。
【００９４】
アクション６０４において、無線ネットワークノード２０、１１０は、測位システム情報ブロードキャストｐＳＩＢの一部がセグメント化されているという表示をブロードキャストする。この様に、無線ネットワークノード２０、１１０は、ｐＳＩＢがｐＳＩＢセグメントにセグメント化されているという表示をブロードキャストする。
【００９５】
上述した様に、表示は次のうちの１つ以上であり得る。
ｐＳＩＢがセグメント化されているか否かを示す、ｐＳＩＢ毎のセグメント化表示
セグメントの総数の表現
ＳＩウィンドウ毎にブロードキャストされるセグメント数の表現
セグメント番号を示し、無線デバイス１２０がｐＳＩＢを復号することによって取得するｐＳＩＢメタデータ
ｐＳＩＢに含まれるセグメント表示
【００９６】
任意のターゲットデバイス、例えば、無線デバイス１０、１２０は、セグメント化表示をｐＳＩＢセグメントの連続スケジューリングの表示として解釈するので、アクション６０５において、無線ネットワークノード２０、１１０は、連続スケジューリングでｐＳＩＢセグメントをスケジューリングする。
【００９７】
無線ネットワークノード２０、１１０は、測位ＳＩ期間当たりｐＳＩＢの１つのｐＳＩＢセグメントより多い頻度で行われる様にｐＳＩＢのｐＳＩＢセグメントをスケジューリングすることにより、連続スケジューリングでｐＳＩＢセグメントをスケジューリングし得る。これについては、"５．３．測位ＳＩＢの連続スケジューリング"で詳細を述べる。
【００９８】
幾つかの実施形態において、ｐＳＩＢのｐＳＩＢセグメントは、測位ＳＩ期間内の連続するＳＩウィンドウにスケジューリングされる。これについては、図８ｂを参照して以下に詳細を述べる。
【００９９】
幾つかの実施形態において、ｐＳＩＢの複数のｐＳＩＢセグメントは、測位ＳＩ期間内の１つの同じＳＩウィンドウにスケジューリングされる。これについては、図８ｃを参照して以下に詳細を述べる。幾つかの実施形態において、無線ネットワークノード２０、１１０は、スケジューリングされたリソース上で連続スケジューリングされたｐＳＩＢセグメントをブロードキャストする。
【０１００】
方法アクションを実行するため、例えば、測位システム情報を無線デバイス１０、１２０に送信するために、無線ネットワークノード２０、１１０は、図７に示す構成を含み得る。無線ネットワークノード２０、１１０は、例えば、送信ユニット７０１と、受信ユニット７０２と、取得ユニット７０３と、ブロードキャストユニット７０４と、判定ユニット７０５と、スケジューリングユニット７０６と、を備える。
【０１０１】
無線ネットワークノード２０、１１０は、例えば、送信ユニット７０１によって、通信ネットワーク１００で動作する１つ又は複数のノードに信号、メッセージ又は情報を送信する様に構成され得る。
【０１０２】
無線ネットワークノード２０、１１０は、例えば、受信ユニット７０２によって、通信ネットワーク１００で動作する１つ又は複数のノードから信号、メッセージ又は情報を受信する様に構成され得る。
【０１０３】
無線ネットワークノード２０、１１０は、例えば、取得ユニット７０３によって、通信ネットワーク１００で動作するネットワークノード３０、１３２から１つ又は複数の測位支援データ要素を取得する様に構成される。
【０１０４】
無線ネットワークノード２０、１１０は、ブロードキャストユニット７０４によって、ＳＩメッセージに含まれるｐＳＩＢに関する情報を含む測位システム情報ブロードキャストスケジューリング情報（ｐＳＩ）をブロードキャストする様に構成される。
【０１０５】
さらに、無線ネットワークノード２０、１１０は、ｐＳＩＢがｐＳＩＢセグメントにセグメント化されているという表示をブロードキャストする様に構成される。上述した様に、表示は次のうちの１つ以上であり得る。
ｐＳＩＢがセグメント化されているか否かを示す、ｐＳＩＢ毎のセグメント化表示
セグメントの総数の表現
ＳＩウィンドウ毎にブロードキャストされるセグメント数の表現
セグメント番号を示し、無線デバイス１２０がｐＳＩＢを復号することによって取得するｐＳＩＢメタデータ
ｐＳＩＢに含まれるセグメント表示
【０１０６】
幾つかの実施形態において、ＲＮＮ２０、１１０は、スケジューリングされたリソース上で連続してスケジューリングされたｐＳＩＢセグメントをブロードキャストする様に構成される。
【０１０７】
無線ネットワークノード２０、１１０は、例えば、判定ユニット７０５によって、測位支援データ要素が、複数のセグメントに分離される必要があるｐＳＩＢにマッピングされることを判定する様に構成される。
【０１０８】
無線ネットワークノード２０、１１０は、例えば、スケジューリングユニット７０６によって、ｐＳＩＢセグメントを連続スケジューリングでスケジューリングする様に構成される。
【０１０９】
幾つかの実施形態において、ＲＮＮ２０、１１０は、測位ＳＩ期間当たりｐＳＩＢの１つのｐＳＩＢセグメントよりも多い頻度で行われる様にｐＳＩＢのｐＳＩＢセグメントをスケジューリングする様に構成されることにより、連続スケジューリングでｐＳＩＢセグメントをスケジューリングする様に構成される。
【０１１０】
ｐＳＩＢのｐＳＩＢセグメントは、測位ＳＩ期間内の連続するＳＩウィンドウにスケジューリングされ得る、或いは、ｐＳＩＢの複数のｐＳＩＢセグメントは、測位ＳＩ期間内の１つの同じＳＩウィンドウにスケジューリングされ得る。
【０１１１】
当業者はまた、上記の無線ネットワークノード２０、１１０内のユニットが、アナログ及びデジタル回路の組み合わせ、及び／又は、ソフトウェア及び／又はファームウェアで構成された１つ又は複数のプロセッサを参照することを理解し、例えば、ソフトウェア及び／又はファームウェアは、ネットワークノード１１０に格納され、上述のプロセッサ等の１つ又は複数のプロセッサによって実行される。これらのプロセッサの１つ以上、及びその他のデジタルハードウェアは、単一の特定用途向け集積回路（ＡＳＩＣ）に含まれている場合もあれば、個別にパッケージ化又はシステムオンチップ（ＳｏＣ）にアセンブルされているかどうかに拘わらず、複数のプロセッサ及び様々なデジタルハードウェアが様々な個別のコンポーネントに分散され得る。
【０１１２】
無線ネットワークノード２０、１１０は、無線デバイス１０、１２０、１２２、ネットワークノード４０、１３０、及び、ロケーションサーバ３０、１３２の内の１つ又は複数と通信する様に構成された入出力インタフェース７００を備え得る。入出力インタフェースは、無線受信機（図示せず）及び無線送信機（図示せず）を備え得る。
【０１１３】
本実施形態は、図７に示すネットワークノード１１０の処理回路のプロセッサ７０７の様な、各プロセッサ又は１つ以上のプロセッサと、本明細書の実施形態の機能及びアクションを実行するための各コンピュータプログラムコードと、により実現され得る。上記プログラムコードは、例えば、ネットワークノード１１０にロードされると、本実施形態を実行するコンピュータプログラムコードを搬送するデータキャリアの形式といった、コンピュータプログラム製品としても提供され得る。その様なキャリアの１形式は、ＣＤ  ＲＯＭである。しかしながら、メモリスティックの様な他のデータキャリアも可能である。コンピュータプログラムコードは、サーバ上の純粋なプログラムコードとしても提供され、ネットワークノード１１０にダウンロードされる。
【０１１４】
ネットワークノード１１０は、さらに、１つ以上のメモリユニットを含むメモリ７０８を備え得る。メモリは、ネットワークノード１１０内のプロセッサによって実行可能な命令を含む。
【０１１５】
メモリは、例えば、ネットワークノード１１０で実行されるときに本明細書の方法を実行するためのデータ、構成及びアプリケーションを格納する様に構成される。例えば、メモリは、本明細書で言及されるバッファサイズを有するバッファを含み得る。
【０１１６】
無線ネットワークノード２０、１１０の幾つかの実施形態は、以下を含み得る。
ＮＮ３０、１３２と通信し、ＮＮ３０、１３２から測位データ要素を取得する様に構成された通信回路
測位支援データを格納し、処理をサポートする様に構成されたストレージ
測位支援データの可能なセグメント化を判定し、オプションで２つ以上のセグメントへのｐＳＩＢの編集を判定し、ｐＳＩＢセグメントのスケジューリングを判定し、ｐＳＩＢスケジューリング情報を判定する様に構成された処理ユニット
判定されたスケジューリングに従ってｐＳＩＢセグメントをブロードキャストする様に構成された無線回路
この様に、無線ネットワークノード２０、１１０は、スケジューリングされたリソース上でスケジューリングされたｐＳＩＢセグメント、例えば、連続的にスケジューリングされたｐＳＩＢセグメントをブロードキャストし得る。
【０１１７】
幾つかの実施形態において、各コンピュータプログラム７０９は、少なくとも１つのプロセッサのそれぞれで実行されると、ネットワークノード２０、１１０の少なくとも１つのプロセッサに、本明細書で説明するアクションの１つ又は複数を実行させる命令を含む。
【０１１８】
幾つかの実施形態において、各コンピュータプログラム５１０は、少なくとも１つのプロセッサのそれぞれで実行されると、無線デバイス１０、１２０の少なくとも１つのプロセッサに、本明細書で説明するアクションの１つ又は複数を実行させる命令を含む。
【０１１９】
幾つかの実施形態において、各キャリア５１１、７１０は、各コンピュータプログラムを有し、キャリアは、電子信号、光信号、電磁信号、磁気信号、電気信号、無線信号、マイクロウェーブ信号、又は、コンピュータ可読記憶媒体の１つである。
【０１２０】
以下ではより詳細を説明する。
本明細書に開示される実施形態は、以下でより詳細に説明されることになる異なる部分に分離され得る。たとえば、測位支援データがセクション１．１で議論され、セクション１．２では測位ＳＩＢセグメント化表示を提供する様々な手段が議論され、セクション１．３では連続スケジューリングを実現する様々な方法が議論され、セクション１．４では幾つかのシグナリングの側面が議論される。
【０１２１】
１．１  システム情報ブロードキャストのための測位支援データ
ＲＴＫ修正は、３ＧＰＰのＲｅｌ−１５でサポートされている測位支援データ（ＡＤ）の一部を含む。これは、共通メッセージタイプとジェネリックメッセージタイプの２つのメッセージタイプに分割され得る。共通メッセージは総てのＧＮＳＳに共通であるが、ジェネリックメッセージは構成されたＧＮＳＳ−ＩＤを介して特定のＧＮＮＳに関連付けられる。
【０１２２】
例えば、ＧＮＳＳ支援データは、以下の支援データ要素によって実現され得る。幾つかの実施形態の一態様において、各測位支援データ要素は、ｐＳＩＢタイプに対応する。
【０１２３】
【表１】
2021520696.tif 000003
【０１２４】
さらに、他の測位方法に関連して定義された追加のｐＳＩＢタイプがあり得る。１つの例は、ダウンリンクの観測到着時間差（ダウンリンクＯＴＤＯＡ）方法である。
【０１２５】
ｐＳＩＢタイプは、列挙可能なパラメータに関連付けることができ、たとえば、以下のカテゴリでグループ化することで、或いは、タイプ毎の線形インデックスとして関連付けることができる。各ｐＳＩＢのサイズは、測位支援データが、例えば、ロケーションサーバといったネットワークノード３０、１３２で既に複数のセグメントにセグメント化されているか否か、完全な支援データ要素が符号化されているか否か等、幾つかの要因に依存する。さらに、幾つかの支援データ要素は、支援データ要素に含まれる衛星の数等に比例する。ネットワークノード３０、１３２、例えば、ロケーションサーバは、測位支援データを符号化し、オプションでそれを暗号化し、それをｐＳＩＢタイプ当たり１つ以上のセグメントとして無線ネットワークノード２０、１１０に送信する。一部の測位支援データは、ＧＮＳＳ毎に個別に符号化される。したがって、ＮＮ３０、１３２は、ＲＮＮ２０、１１０にｐＳＩＢタイプ毎のＧＮＳＳを示す。ＲＮＮ２０は、１つ以上のセグメントとして提供される、符号化された測位支援データ要素を取得し、セグメントごとにｐＳＩＢを編集する。
【０１２６】
ｐＳＩＢ自体は、シーケンス番号、最終セグメント表示等のセグメント化情報も含む。
【０１２７】
測位ｐＳＩＢは、ＲＮＮ２０、１１０によってスケジューリングされ、スケジューリング情報は、測位ＳＩＢスケジューリング情報ｐＳＩに編集される。測位ＳＩＢスケジューリング情報は、ｐＳＩＢタイプ毎のＧＮＳＳ  ＩＤ（該当する場合）や、通常はｐＳＩＢ毎の復号鍵インデクスを提供することによってｐＳＩＢが暗号化されているか、を含む。ｐＳＩＢがセグメント化されているか否かを示す別の方法については、次のセクション１．２で説明する。
【０１２８】
１．２  測位ＳＩＢセグメント化の表示
幾つかの実施形態において、測位スケジューリング情報、つまり、測位システム情報スケジューリング情報は、ｐＳＩＢ毎のセグメント化表示を含む。１つの態様において、表示は、ｐＳＩＢがセグメント化されているか否かを示す、ｐＳＩＢ毎のブール値である。別の態様において、表示は、代わりに、セグメントの総数を表す。さらに別の態様において、表示はＳＩウィンドウ毎にブロードキャストされるセグメント数を表す（詳細については次のセクションを参照）。
【０１２９】
さらに別の態様において、デバイス、例えば、無線デバイス１０、１２０は、ｐＳＩＢを復号することによってセグメント化表示を評価する。ｐＳＩＢメタデータがセグメント番号を示している場合、デバイスはｐＳＩＢがセグメント化されていると判定する。
【０１３０】
他の幾つかの実施形態において、セグメント表示は上記の様にｐＳＩＢにあるが、表示は永続的なスケジューリングコンポーネントも含み、そこでは、ｐＳＩＢに関連付けられたＳＩ識別子が、制御チャネルを介して、周期的な無線リソース等の永続的な無線リソースセットで構成される。この場合、ＵＥ、例えば、無線デバイス１０、１２０は、例えば、最後のセグメント化表示によって示される様に、特定のｐＳＩＢに関連付けられたセグメントが残っている限り、永続的スケジューリングでスケジューリングされたデータパケットを読み出す。
【０１３１】
１．３  測位ＳＩＢの連続スケジューリング
幾つかの実施形態において、連続スケジューリングという用語は、測位ＳＩ期間当たり特定のｐＳＩＢの１つのｐＳＩＢセグメントより多い頻度で行われるｐＳＩＢセグメントのスケジューリングに対応する。連続スケジューリングが図８に示され、図８ａは、従来のスケジューリングを表し、図８ｂ及び８ｃは、本明細書で開示される幾つかの実施形態による連続スケジューリングのコンポーネントを示す。
【０１３２】
図８ｂに示される一実施形態において、ＲＮＮ２０、１１０は、連続するＳＩウィンドウ内に同じｐＳＩＢの異なるセグメントをスケジューリングする。ＵＥ１０、１２０は、以前のウィンドウに最後のセグメントインジケータを有するセグメントが含まれていない限り、次のウィンドウを監視する。
【０１３３】
この実施形態は、図９のフローチャートによっても示され、これは、本質的に上述の図４と同じフローチャートであるが、アクション４０４がアクション９０４、９０５及び９０６に置き換えられている。したがって、アクション４０１はアクション９０１に対応し、アクション４０２はアクション９０２に対応し、アクション４０３はアクション９０３に対応し、アクション４０５はアクション９０７に対応する。アクション９０４において、デバイス、例えば、無線デバイス１０、１２０は、特定のｐＳＩＢのｐＳＩＢセグメントが連続スケジューリングで提供されるか否かを判定する。これが当てはまる場合、アクション９０５において、ＵＥは、ｐＳＩＢセグメントについて連続するＳＩウィンドウを監視し、そうでない場合、アクション９０６において、ＵＥは、従来と同様に、ＳＩウィンドウ内のＳＩ期間毎に１つのｐＳＩＢセグメントを監視する。
【０１３４】
図８ｃに示される別の実施形態において、ＲＮＮ２０、１１０は、同じＳＩウィンドウ内に特定のｐＳＩＢの複数のセグメントをスケジューリングする。デバイス１０、１２０は、最後のセグメントインジケータを有するｐＳＩＢセグメントが読み出されるまで、ｐＳＩＢに関連付けられたｐＳＩＢセグメントを読み出す。
【０１３５】
この実施形態は、図１０のフローチャートによっても示され、これは、本質的に上述の図４と同じフローチャートであるが、アクション４０４がアクション１００４、１００５及び１００６に置き換えられる。したがって、アクション４０１はアクション１００１に対応し、アクション４０２はアクション１００２に対応し、アクション４０３はアクション１００３に対応し、アクション４０５はアクション１００７に対応する。アクション１００４において、デバイス１０、１２０は、特定のｐＳＩＢのｐＳＩＢセグメントが連続スケジューリングで提供されるか否か、つまり、ブロードキャスト等で送信されているか否かを判定する。これが当てはまる場合、アクション１００５において、ＵＥは、総てのｐＳＩＢセグメントについてＳＩウィンドウを監視し、そうでない場合、アクション１００６において、ＵＥは、従来と同様に、ＳＩウィンドウ内のＳＩ期間毎に１つのｐＳＩＢセグメントを監視する。
【０１３６】
さらに別の実施形態において、図８ｂ及び８ｃの組み合わせが考慮され、ＵＥ１０、１２０は、最後のセグメントインジケータを有するｐＳＩＢセグメントが読み出されるまでＳＩウィンドウを監視し続け、特定のｐＳＩＢのｐＳＩＢセグメントが読み出された場合も、ＳＩウィンドウのｐＳＩＢセグメントを監視し続ける。
【０１３７】
これらの実施形態の一態様において、セグメントインジケータは、特定のｐＳＩＢのセグメントの総数を記述し、デバイス１０、１２０は、その数のセグメントが読み出されるまで、特定のｐＳＩＢのｐＳＩＢセグメントを監視する。
【０１３８】
実施形態のさらに別の態様において、セグメン化インジケータは、ＳＩウィンドウで送信される特定のｐＳＩＢのｐＳＩＢセグメントの数を記述する。実施形態のさらに別の態様において、セグメン化インジケータは、ＳＩウィンドウで送信される特定のｐＳＩＢのｐＳＩＢセグメントの最大数を記述する。
【０１３９】
１．４  シグナリングの側面
図１１は、シグナリングチャートを示している。準備アクションとして、ＮＮ３０、１３２は、オプションで疑似セグメント化される測位支援データ、つまり、ｐＳＩＢを準備する（８００、アクション１１０１参照）。これらは、無線ネットワークノード２０、１１０に提供され（８１０、アクション１１０２を参照）、別のノード、例えば、モビリティネットワークノード（ＭＮＮ）４０、１３０を介してルーティングされ得る。オプションである測位支援データの暗号化が考慮される場合、解読情報は、８２０、アクション１１０３において、ＭＮＮ４０に提供され得る。したがって、ＮＮ３０、１３２は、測位支援データを暗号化し、解読情報をＭＮＮ４０に送信し得る。その場合、デバイス１０、１２０は、８３０、アクション１１０４において、ＭＮＮ４０、１３０からこれらの鍵を取得し得る。無線ネットワークノード２０、１１０は、ｐＳＩＢセグメントに編集する前に、測位支援データ要素をセグメント化し得る。ＲＮＮ２０、１１０はまた、８４０、アクション１１０５において、測位ＳＩＢスケジューリング情報ｐＳＩを編集する。ＲＮＮ２０、１１０は、アクション８５０、１１０６において、ｐＳＩをブロードキャストする。デバイス１０、１２０は、アクション８６０、１１０７において、ｐＳＩを読出し、ｐＳＩＢセグメント化表示を取得して、ｐＳＩＢセグメントが連続スケジューリングで提供されるか否かを判定する。ｐＳＩＢセグメントがどの様にスケジューリングされているかに関する情報に基づいて、デバイス１０、１２０は、アクション８７０、１１０８において、特定のｐＳＩＢの最初のｐＳＩＢセグメントを取得し、アクション８８０、１１０９において、次のｐＳＩＢセグメントを取得し、特定のｐＳＩＢの総てのセグメントが取得されるまでこれを行う。
【０１４０】
上記から、実施形態は、測位システム情報を無線デバイス１０、１２０に送信する際にＲＮＮ２０、１１０を支援するために、ネットワークノード３０、１３２、例えば、ロケーションサーバによって実行される方法にも関連することが理解される。上述した様に、ネットワークノード３０、１３２、ＲＮＮ２０、１１０及び無線デバイス１０、１２０は、無線通信ネットワーク１００で動作する。
【０１４１】
アクション８００、１１０１において、ネットワークノード３０、１３２は、測位システム情報ブロック（ｐＳＩＢ）を準備する。幾つかの実施形態において、ネットワークノード３０、１３２は、疑似セグメント化されたｐＳＩＢを準備する。擬似セグメント化において、ネットワークノード３０、１３２は、総てのセグメントを蓄積する必要なしに、各セグメントが無線デバイスによって独立して復号され得る様にデータをセグメント化する。
【０１４２】
アクション８１０、１１０２において、ネットワークノード３０、１３２は、ｐＳＩＢをＲＮＮ２０、１１０に提供、例えば、送信する。
【０１４３】
ネットワークノード３０、１３２は、ｐＳＩＢを暗号化することができ、アクション８２０、１１０３において、ネットワークノード３０、１３２は、解読情報を無線通信ネットワーク１００で動作するＭＮＮ４０、１３０に送信し得る。
【０１４４】
方法アクションを実行するため、例えば、ＲＮＮ２０、１１０が測位システム情報を無線デバイス１０、１２０に送信することを支援するために、ネットワークノード３０、１３２、例えば、Ｅ−ＳＭＬＣ等のロケーションサーバは、図１２に示す構成を含み得る。ネットワークノード３０、１３２は、例えば、送信ユニット１２０１と、受信ユニット１２０２と、準備ユニット１２０３と、提供ユニット１２０４と、暗号化ユニット１２０５と、を備える。
【０１４５】
ネットワークノード３０、１３２は、例えば、送信ユニット１２０１によって、通信ネットワーク１００で動作する１つ又は複数のノードに信号、メッセージ又は情報を送信する様に構成され得る。
【０１４６】
幾つかの実施形態において、ネットワークノード３０、１３２は、無線通信ネットワーク１０で動作するモビリティネットワークノード（ＭＮＮ）４０、１３０に解読情報を送信する様に構成される。
【０１４７】
無線ネットワークノード３０、１３２は、例えば、受信ユニット１２０２によって、通信ネットワーク１００で動作する１つ又は複数のノードから信号、メッセージ又は情報を受信する様に構成され得る。
【０１４８】
ネットワークノード３０、１３２は、例えば、準備ユニット１２０３によって、測位システム情報ブロック（ｐＳＩＢ）を準備する様に構成される。
【０１４９】
幾つかの実施形態において、ネットワークノード３０、１３２は、疑似セグメント化されたｐＳＩＢを準備する様に構成される。
【０１５０】
ネットワークノード３０、１３２は、例えば、提供ユニット１２０４によって、ｐＳＩＢをＲＮＮ２０、１１０に提供する様に構成される。幾つかの実施形態において、ネットワークノード３０、１３２は、送信ユニット１２０１によってＲＮＮ２０、１１０にｐＳＩＢを送信することによって、ｐＳＩＢをＲＮＮ２０、１１０に提供する。
【０１５１】
ネットワークノード３０、１３２は、例えば、暗号化ユニット１２０５によって、ｐＳＩＢを暗号化する様に構成される。
【０１５２】
当業者はまた、上記のネットワークノード３０、１３２内のユニットが、アナログ及びデジタル回路の組み合わせ、及び／又は、ソフトウェア及び／又はファームウェアで構成された１つ又は複数のプロセッサを参照することを理解し、例えば、ソフトウェア及び／又はファームウェアは、ネットワークノード３０、１３２に格納され、上述のプロセッサ等の１つ又は複数のプロセッサによって実行される。これらのプロセッサの１つ以上、及びその他のデジタルハードウェアは、単一の特定用途向け集積回路（ＡＳＩＣ）に含まれている場合もあれば、個別にパッケージ化又はシステムオンチップ（ＳｏＣ）にアセンブルされているかどうかに拘わらず、複数のプロセッサ及び様々なデジタルハードウェアが様々な個別のコンポーネントに分散され得る。
【０１５３】
ネットワークノード３０、１３２は、無線デバイス１０、１２０、１２２、ネットワークノード４０、１３０、及び、ＲＮＮ２０、１１０のうちの１つ又は複数と通信する様に構成された入出力インタフェース１２００を備え得る。入出力インタフェースは、無線受信機（図示せず）及び無線送信機（図示せず）を備え得る。
【０１５４】
本実施形態は、図１２に示すネットワークノード３０、１３２の処理回路のプロセッサ１２０６の様な、各プロセッサ又は１つ以上のプロセッサと、本明細書の実施形態の機能及びアクションを実行するための各コンピュータプログラムコードと、により実現され得る。上記プログラムコードは、例えば、ネットワークノード３０、１３２にロードされると、本実施形態を実行するコンピュータプログラムコードを搬送するデータキャリアの形式といった、コンピュータプログラム製品としても提供され得る。その様なキャリアの１形式は、ＣＤ  ＲＯＭである。しかしながら、メモリスティックの様な他のデータキャリアも可能である。コンピュータプログラムコードは、サーバ上の純粋なプログラムコードとしても提供され、ネットワークノード３０、１３２にダウンロードされる。
【０１５５】
ネットワークノード３０、１３２は、さらに、１つ以上のメモリユニットを含むメモリ１２０７を備え得る。メモリは、ネットワークノード３０、１３２内のプロセッサによって実行可能な命令を含む。
【０１５６】
メモリは、例えば、ネットワークノード３０、１３２で実行されるときに本明細書の方法を実行するためのデータ、構成及びアプリケーションを格納する様に構成される。
【０１５７】
幾つかの実施形態において、各コンピュータプログラム１２０８は、少なくとも１つのプロセッサそれぞれによって実行されると、ネットワークノード３０、１３２の少なくとも１つのプロセッサに、本明細書で説明するアクションの１つ又は複数を実行させる命令を含む。
【０１５８】
幾つかの実施形態において、各キャリア１２０９は、各コンピュータプログラムを有し、キャリアは、電子信号、光信号、電磁信号、磁気信号、電気信号、無線信号、マイクロウェーブ信号、又は、コンピュータ可読記憶媒体の１つである。
【０１５９】
１．４．１  例−ＧＮＳＳ  ＲＴＫ  ＭＡＣ支援データ要素
通常の配置においては、約１６のＲＴＫ局と約１２の衛星からの補正データがあり得る。以下のＧＮＳＳ  ＲＴＫ  ＭＡＣ修正差分情報要素を考慮し、１６局と１２衛星に基づいてそのサイズを計算すると、合計サイズは１４３７バイトになり得る。
【０１６０】
【表２】
2021520696.tif 000004
【０１６１】
３ＧＰＰＴＳ３６．３３１の５．２節は、ＳＩＢサイズについて次の様に述べている。
【０１６２】
物理レイヤは、ＳＩＢがとり得る最大サイズを制限する。ＤＣＩフォーマット１Ｃを使用する場合、物理レイヤで許可される最大値は１７３６ビット（２１７バイト）であり、フォーマット１Ａでの制限は２２１６ビット（２７７バイト）である。ＴＳ３６．２１２［２２］及びＴＳ３６．２１３［２３］を参照。ＢＬ  ＵＥ及びＣＥのＵＥの場合、ＳＩＢ及びＳＩメッセージの最大サイズは９３６ビットである。ＴＳ３６．２１３［２３］を参照。ＮＢ−ＩоＴの場合、ＳＩＢ及びＳＩメッセージの最大サイズは６８０ビットである。ＴＳ３６．２１３［２３］を参照。
【０１６３】
上記の制限に基づいて、ＬＴＥのＤＣＩフォーマット１Ａ（２７７バイト）では６つのＳＩＢセグメントが必要になる。
【０１６４】
従来のメカニズムの様に、ｒｆ３２（３２０ｍｓ）のＳＩＢ周期性と１０ｍｓのＳＩウィンドウを想定すると、６つのＳＩＢセグメントを送信するための合計遅延／期間は、６×ＳＩウィンドウ×ＳＩＢ周期性＝６×１０×３２０＝１９．２ｓになる。
【０１６５】
本実施形態において、ＳＩＢセグメントは、ＳＩＢ周期性を待つことなくバックトゥバックで送信されることが主張されている。したがって、ＳＩ周期性によって発生する遅延が削除される。６つのＳＩＢセグメントを送信する合計時間は６×ＳＩウィンドウ＝６０ｍｓになる。
【０１６６】
したがって、各ＳＩＢセグメントは、独自の周期性を持ち、次のｐＳＩＢ期間を待たずに即座にスケジューリングされるＳＩメッセージにマッピングされる。
【０１６７】
１．４．２  符号化例、ブール値によるセグメント化表示
この態様において、セグメント化インジケータは、ｐＳＩＢセグメントの連続スケジューリングを明示的に示す。
【０１６８】
【表３】
2021520696.tif 000005
【０１６９】
セグメント化表示を読み出すと、ＵＥ、例えば、無線デバイス１０、１２０は、連続してスケジューリングされたｐＳＩＢを監視する。
【０１７０】
１．４．３  符号化例、セグメント数によるセグメント化表示
この態様において、セグメント化表示は整数（範囲はディメンション化まで）を介して行われ、次のいずれかとして定義される。
−特定のｐＳＩＢのセグメントの総数
−同じＳＩウィンドウでスケジューリングされたセグメント数
【０１７１】
【表４】
2021520696.tif 000006
【０１７２】
セグメント化表示を読み出すと、ＵＥ、例えば、無線デバイス１０、１２０は、連続してスケジューリングされたｐＳＩＢを監視する。
【０１７３】
さらなる拡張及びバリエーション
一実施形態に従う図１３を参照すると、通信システムは、ＷＬＡＮ、３ＧＰＰタイプのセルラネットワーク等の無線通信ネットワーク１００の様な通信ネットワーク３２１０を含み、通信ネットワーク３２１０は、無線アクセスネットワーク等のアクセスネットワーク３２１１とコアネットワーク３２１４とを含む。アクセスネットワーク３２１１は、ネットワークノード１１０、１３０、アクセスノード、ＡＰ  ＳＴＡ、ＮＢ、ｅＮＢ、ｇＮＢ、又は、他のタイプの無線アクセスポイント等の複数の基地局３２１２ａ、３２１２ｂ、３２１２ｃを含み、それぞれが対応するカバレッジエリア３２１３ａ、３２１３ｂ、３２１３ｃを定義する。各基地局３２１２ａ、３２１２ｂ、３２１２ｃは、有線又は無線接続３２１５を介してコアネットワーク３２１４に接続可能である。第１ユーザ装置（ＵＥ）、例えば、カバレッジエリア３２１３ｃに位置する非ＡＰ  ＳＴＡ３２９１等の無線デバイス１２０は、対応する基地局３２１２ｃに無線で接続するか、又は、対応する基地局３２１２ｃによってページングされる様に構成される。第２ＵＥ３２９２、例えば、カバレッジエリア３２１３ａに位置する非ＡＰ  ＳＴＡ等の無線デバイス１２２は、対応する基地局３２１２ａに無線で接続可能である。複数のＵＥ３２９１、３２９２がこの例に示されているが、開示された実施形態は、単一ＵＥがカバレッジエリアにある状況、又は、単一ＵＥが対応する基地局３２１２に接続している状況に等しく適用可能である。
【０１７４】
通信ネットワーク３２１０自体は、スタンドアロンサーバ、クラウド実装サーバ、分散サーバのハードウェア及び／又はソフトウェアにより、又は、サーバファームの処理リソースとして具現化され得るホストコンピュータ３２３０に接続される。ホストコンピュータ３２３０は、サービスプロバイダの所有権又は管理下にあり得るか、又は、サービスプロバイダによって若しくはサービスプロバイダに代わって操作され得る。通信ネットワーク３２１０とホストコンピュータ３２３０との間の接続３２２１、３２２２は、コアネットワーク３２１４からホストコンピュータ３２３０まで直接延長してもよく、又は、オプションの中間ネットワーク３２２０を介してもよい。中間ネットワーク３２２０は、パブリック、プライベート、又は、ホストされたネットワークの１つ又は２つ以上の組み合わせであっても良く、中間ネットワーク３２２０（ある場合）は、バックボーンネットワーク又はインターネットである場合があり、特に、中間ネットワーク３２２０は、２つ以上のサブネットワーク（図示せず）を備えてもよい。
【０１７５】
図１３の通信システムは全体として、接続されたＵＥ３２９１、３２９２のうちの１つとホストコンピュータ３２３０との間の接続を可能にする。接続性は、オーバーザトップ（ＯＴＴ）接続３２５０として説明され得る。ホストコンピュータ３２３０及び接続されたＵＥ３２９１、３２９２は、アクセスネットワーク３２１１、コアネットワーク３２１４、任意の中間ネットワーク３２２０、及び、仲介者としての可能なさらなるインフラストラクチャ（図示せず）を使用して、ＯＴＴ接続３２５０を介してデータ及び／又はシグナリングを通信する様に構成される。ＯＴＴ接続３２５０は、ＯＴＴ接続３２５０が通過する参加通信デバイスがアップリンク及びダウンリンク通信のルーティングを認識しないという意味で透過的であり得る。例えば、基地局３２１２は、接続されたＵＥ３２９１に転送される（例えば、引き渡される）ホストコンピュータ３２３０から発信されるデータとの着信ダウンリンク通信の過去のルーティングについて通知されないか、又は、通知される必要はない。同様に、基地局３２１２は、ＵＥ３２９１からホストコンピュータ３２３０に向かう発信アップリンク通信の将来のルーティングを認識する必要はない。
【０１７６】
一実施形態による、上述の段落で説明したＵＥ、基地局及びホストコンピュータの例示的な実装形態を、図１４を参照して説明する。通信システム３３００において、ホストコンピュータ３３１０は、通信システム３３００の異なる通信デバイスのインタフェースとの有線又は無線接続をセットアップ及び維持する様に構成された通信インタフェース３３１６を含むハードウェア３３１５を備える。ホストコンピュータ３３１０は、記憶及び／又は処理能力を有し得る処理回路３３１８をさらに備える。特に、処理回路３３１８は、命令を実行する様に適合された１つ以上のプログラマブルプロセッサ、特定用途向け集積回路、フィールドプログラマブルゲートアレイ、又は、これらの組み合わせ（図示せず）を備え得る。ホストコンピュータ３３１０は、ソフトウェア３３１１をさらに備え、ソフトウェア３３１１は、ホストコンピュータ３３１０に格納されるか、ホストコンピュータ３３１０によってアクセス可能であり、処理回路３３１８によって実行可能である。ソフトウェア３３１１は、ホストアプリケーション３３１２を含む。ホストアプリケーション３３１２は、ＵＥ３３３０とホストコンピュータ３３１０で終端されるＯＴＴ接続３３５０を介して接続する、ＵＥ３３３０の様なリモート・ユーザにサービスを提供する様に動作可能であり得る。リモート・ユーザにサービスを提供する際、ホストアプリケーション３３１２は、ＯＴＴ接続３３５０を使用して送信されるユーザデータを提供し得る。
【０１７７】
通信システム３３００は、通信システムに設けられ、ホストコンピュータ３３１０及びＵＥ３３３０と通信することを可能にするハードウェア３３２５を備える基地局３３２０をさらに含む。ハードウェア３３２５は、通信システム３３００の異なる通信デバイスのインタフェースとの有線又は無線接続をセットアップ及び維持するための通信インタフェース３３２６と、少なくとも、基地局３３２０がサービスを提供するカバレッジエリア（図１４には示されていない）にあるＵＥ３３３０との少なくとも無線接続３３７０をセットアップ及び維持するための無線インタフェース３３２７と、を含み得る。通信インタフェース３３２６は、ホストコンピュータ３３１０への接続３３６０を促進する様に構成され得る。接続３３６０は直接であってもよいし、通信システムのコアネットワーク（図１４には図示せず）及び／又は通信システムの外部の１つ以上の中間ネットワークを通過してもよい。実施形態において、基地局３３２０のハードウェア３３２５は、処理回路３３２８をさらに備え、処理回路３３２８は、命令を実行する様に適合された１つ以上のプログラマブルプロセッサ、特定用途向け集積回路、フィールドプログラマブルゲートアレイ、又は、これらの組み合わせ（図示せず）を備え得る。基地局３３２０は、内部に格納されたソフトウェア３３２１又は外部接続を介してアクセス可能なソフトウェア３３２１１をさらに有する。
【０１７８】
通信システム３３００は、既に言及したＵＥ３３３０をさらに含む。そのハードウェア３３３５は、ＵＥ３３３０が現在位置するカバレッジエリアにサービスを提供する基地局との無線接続３３７０をセットアップ及び維持する様に構成された無線インタフェース３３３７を含み得る。ＵＥ３３３０のハードウェア３３３５は、処理回路３３３８をさらに備え、処理回路３３２８は、命令を実行する様に適合された１つ以上のプログラマブルプロセッサ、特定用途向け集積回路、フィールドプログラマブルゲートアレイ、又は、これらの組み合わせ（図示せず）を備え得る。ＵＥ３３３０は、ソフトウェア３３３１をさらに備え、ソフトウェア３３１１は、ＵＥ３３３０に格納されるか、ＵＥ３３３０によってアクセス可能であり、処理回路３３３８によって実行可能である。ソフトウェア３３３１は、ホストアプリケーション３３３２を含む。クライアントアプリケーション３３３２は、ホストコンピュータ３３１０のサポートにより、ＵＥ３３３０を介して人間又は非人間のユーザにサービスを提供する様に動作可能であってもよい。ホストコンピュータ３３１０において、実行中のホストアプリケーション３３１２は、ＵＥ３３３０及びホストコンピュータ３３１０で終端するＯＴＴ接続３３５０を介して実行中のクライアントアプリケーション３３３２と通信することができる。ユーザにサービスを提供する際、クライアントアプリケーション３３３２は、ホストアプリケーション３３１２からリクエストデータを受信し、リクエストデータに応答してユーザデータを提供してもよい。ＯＴＴ接続３３５０は、リクエストデータとユーザデータの両方を転送し得る。クライアントアプリケーション３３３２は、ユーザと対話して、提供するユーザデータを生成することができる。
【０１７９】
図１４に示されるホストコンピュータ３３１０、基地局３３２０及びＵＥ３３３０は、それぞれ、図１３のホストコンピュータ３２３０、基地局３２１２ａ、３２１２ｂ、３２１２ｃのうちの１つ、及び、ＵＥ３２９１、３２９２のうちの１つと同一であり得ることに留意されたい。つまり、これらのエンティティの内部動作は図１４の様になり、独立して、周囲のネットワークトポロジは図１３の様になり得る。
【０１８０】
図１４において、ＯＴＴ接続３３５０は、中間デバイス及びこれらのデバイスを介したメッセージの正確なルーティングを明示的に参照することなく、基地局３３２０を介したホストコンピュータ３３１０と無線デバイス３３３０との間の通信を示すために抽象的に描かれている。ネットワークインフラストラクチャは、ルーティングを決定してもよく、ルーティングは、ＵＥ３３３０又はホストコンピュータ３３１０を操作するサービスプロバイダ、又は、その両方から隠す様に構成されてもよい。ＯＴＴ接続３３５０がアクティブである間、ネットワークインフラストラクチャは、ルーティングを動的に変更する決定をさらに行うことができる（たとえば、ネットワークの負荷分散の検討又は再構成に基づいて）。
【０１８１】
ＵＥ３３３０と基地局３３２０との間の無線接続３３７０は、本開示を通して説明される実施形態の教示に従う。１つ以上の様々な実施形態は、無線接続３３７０が最後のセグメントを形成するＯＴＴ接続３３５０を使用して、ＵＥ３３３０に提供されるＯＴＴサービスの性能を改善する。より正確には、これらの実施形態の教示は、遅延を改善し、それによって、ユーザの待機時間の短縮等の利点を提供することができる。
【０１８２】
測定手順は、データレート、待ち時間、及び、１つ以上の実施形態が改善される他の要因を監視する目的で提供されてもよい。さらに、測定結果の変動に応じて、ホストコンピュータ３３１０とＵＥ３３３０との間のＯＴＴ接続３３５０を再構成するためのオプションのネットワーク機能があり得る。ＯＴＴ接続３３５０を再構成するための測定手順及び／又はネットワーク機能は、ホストコンピュータ３３１０のソフトウェア３３１１又はＵＥ３３３０のソフトウェア３３３１、又は、その両方で実装されてもよい。実施形態において、センサ（図示せず）は、ＯＴＴ接続３３５０が通過する通信デバイス内に、又は、それに関連して配置され、センサは、上記で例示した監視量の値を提供するか、ソフトウェア３３１１、３３１１が監視量を計算又は推定できる他の物理量の値を提供することにより、測定手順に参加できる。ＯＴＴ接続３３５０の再構成には、メッセージ形式、再送信設定、優先ルーティング等が含まれ、再構成は基地局３３２０に影響を与えず、基地局３３２０にとって未知又は感知できない可能性がある。そのような手順及び機能は、当技術分野で知られ実践されている場合がある。特定の実施形態において、測定は、スループット、伝播時間、待ち時間等のホストコンピュータの３３１０測定を容易にする独自のＵＥシグナリングを含み得る。測定は、ソフトウェア３３１１、３３１１が、ＯＴＴ接続３３５０を使用して、伝播時間、エラー等を監視しながら、メッセージ、特に空又は"ダミー"メッセージを送信する様に実装できる。
【０１８３】
図１３及び図１４並びに対応するテキストは、無線関連の発明の下流の側面に関するものであり、図１５及び図１６並びに対応するテキストは、上流の側面について議論している。
【０１８４】
図１５は、一実施形態による、通信システムで実施される方法を示すフローチャートである。通信システムは、ホストコンピュータ、ＡＰ  ＳＴＡの様な基地局、及び、非ＡＰ  ＳＴＡの様なＵＥを含み、それらは図１３及び１４を参照して説明されたものであり得る。本開示を単純化するために、図１５への参照図面のみがこのセクションに含まれる。この方法の第１アクション３４１０において、ホストコンピュータはユーザデータを提供する。第１アクション３４１０のオプションのサブアクション３４１１では、ホストコンピュータはホストアプリケーションを実行することによりユーザデータを提供する。第２アクション３４２０において、ホストコンピュータは、ユーザデータをＵＥに搬送する送信を開始する。オプションの第３アクション３４３０において、基地局は、本開示を通して説明される実施形態の教示に従って、ホストコンピュータが開始した送信で搬送されたユーザデータをＵＥに送信する。オプションの第４アクション３４４０において、ＵＥは、ホストコンピュータによって実行されるホストアプリケーションに関連するクライアントアプリケーションを実行する。
【０１８５】
図１６は、一実施形態による、通信システムで実施される方法を示すフローチャートである。通信システムは、ホストコンピュータ、ＡＰ  ＳＴＡの様な基地局、及び、非ＡＰ  ＳＴＡの様なＵＥを含み、それらは図１３及び１４を参照して説明されたものであり得る。本開示を単純化するために、図１６への参照図面のみがこのセクションに含まれる。この方法の第１アクション３５１０において、ホストコンピュータはユーザデータを提供する。オプションのサブアクション（図示せず）において、ホストコンピュータはホストアプリケーションを実行することによりユーザデータを提供する。第２アクション３５２０において、ホストコンピュータは、ユーザデータをＵＥに搬送する送信を開始する。本開示を通して説明される実施形態の教示に従い、送信は、基地局を通過し得る。オプションの第３アクション３５３０において、ＵＥは、送信で搬送されたユーザデータを受信する。
【０１８６】
図１７は、一実施形態による、通信システムで実施される方法を示すフローチャートである。通信システムは、ホストコンピュータ、ＡＰ  ＳＴＡの様な基地局、及び、非ＡＰ  ＳＴＡの様なＵＥを含み、それらは図１３及び１４を参照して説明されたものであり得る。本開示を単純化するために、図１７への参照図面のみがこのセクションに含まれる。この方法のオプションの第１アクション３６１０において、ＵＥはホストコンピュータにより提供された入力データを受信する。追加又は代替として、オプションの第２アクション３６２０で、ＵＥはユーザデータを提供する。第２アクション３６２０のオプションのサブアクション３６２１において、ＵＥはホストアプリケーションを実行することによりユーザデータを提供する。第１アクション３６１０のさらなるオプションのサブアクション３６１１において、ＵＥは、ホストコンピュータによって提供された受信入力データに応答してユーザデータを提供するクライアントアプリケーションを実行する。ユーザデータを提供する際に、実行されたクライアントアプリケーションは、ユーザから受け取ったユーザ入力をさらに考慮し得る。ユーザデータが提供された特定の方法に関係なく、ＵＥは、オプションの第３サブアクション３６３０で、ホストコンピュータへのユーザデータの送信を開始する。方法の第４アクション３６４０において、ホストコンピュータは、本開示を通して説明される実施形態の教示に従って、ＵＥから送信されたユーザデータを受信する。
【０１８７】
図１８は、一実施形態による、通信システムで実施される方法を示すフローチャートである。通信システムは、ホストコンピュータ、ＡＰ  ＳＴＡの様な基地局、及び、非ＡＰ  ＳＴＡの様なＵＥを含み、それらは図１３及び１４を参照して説明されたものであり得る。本開示を単純化するために、図１８への参照図面のみがこのセクションに含まれる。方法のオプションの第１アクション３７１０において、本開示全体にわたって説明される実施形態の教示に従って、基地局はＵＥからユーザデータを受信する。オプションの第２アクション３７２０において、基地局は、受信したユーザデータのホストコンピュータへの送信を開始する。第３アクション３７３０において、ホストコンピュータは、基地局により開始された送信で搬送されるユーザデータを受信する。
【０１８８】
"備える"又は"含む"という単語を使用する場合、それは非限定的、すなわち"少なくとも一つを含む"を意味すると解釈されるものとする。
【０１８９】
本明細書の実施形態は、上述の好ましい実施形態に限定されない。様々な代替、修正、及び同等物を使用することができる。
【０１９０】
略語：説明
ＲＴＫ：リアルタイムキネマティクス
ＡＤ：支援データ
ＮＮ：ネットワークノード
Ｅ−ＳＭＬＣ：発展型サービング移動ロケーションセンタ
ＬＭＦ：ロケーション管理機能
ＭＮＮ：モビィリティネットワークノード
ＭＭＥ：モビリティ管理エンティティ
ＡＭＦ：アクセス及びモビリティ機能
ＲＮＮ：無線ネットワークノード
ＵＥ：ユーザ装置
ＯＴＤＯＡ：観測到着時間差
ＳＩＢ：システム情報ブロック
ｐＳＩＢ：測位システム情報ブロック
ｐＳＩ：測位システム情報ブロックスケジューリング情報
ＲＲＣ：無線リソース制御
ＧＰＳ：グローバル測位システム
ＧＮＳＳ：グローバルナビゲーション衛星システム
【図１】
2021520696.tif 000007
【図２】
2021520696.tif 000008
【図３】
2021520696.tif 000009
【図４】
2021520696.tif 000010
【図５】
2021520696.tif 000011
【図６】
2021520696.tif 000012
【図７】
2021520696.tif 000013
【図８ａ】
2021520696.tif 000014
【図８ｂ】
2021520696.tif 000015
【図８ｃ】
2021520696.tif 000016
【図９】
2021520696.tif 000017
【図１０】
2021520696.tif 000018
【図１１】
2021520696.tif 000019
【図１２】
2021520696.tif 000020
【図１３】
2021520696.tif 000021
【図１４】
2021520696.tif 000022
【図１５】
2021520696.tif 000023
【図１６】
2021520696.tif 000024
【図１７】
2021520696.tif 000025
【図１８】
2021520696.tif 000026
【手続補正書】
【提出日】令和2年11月2日(2020.11.2)
【手続補正１】
【補正対象書類名】特許請求の範囲
【補正対象項目名】全文
【補正方法】変更
【補正の内容】
【特許請求の範囲】
【請求項１】
無線ネットワークノード（ＲＮＮ）（２０、１１０）から測位システム情報を受信するために無線デバイス（１０、１２０）によって実行される方法であって、
前記無線デバイス（１０、１２０）及び前記無線ネットワークノード（２０、１１０）は、無線通信ネットワーク（１００）で動作し、
前記方法は、
前記無線ネットワークノード（２０、１１０）から、システム情報（ＳＩ）メッセージに含まれる測位システム情報ブロック（ｐＳＩＢ）に関する情報を含む測位システム情報ブロードキャストスケジューリング情報（ｐＳＩ）を受信（４０１）することと、
前記ＲＮＮ（２０、１１０）から、ｐＳＩＢがｐＳＩＢセグメントにセグメント化されているという表示を受信（４０２）することと、
前記表示及び前記ｐＳＩに基づいて、前記ｐＳＩＢセグメントが連続スケジューリングでスケジューリングされているか否かを判定（４０３）することと、
前記ｐＳＩＢセグメントが連続スケジューリングでスケジューリングされていると判定した場合、スケジューリングされたリソースを監視（４０４）し、連続スケジューリングされた前記ｐＳＩＢセグメントを読み出すことと、
読み出した前記ｐＳＩＢセグメントの測位システム情報を復号（４０５）することと、
を含む方法。
【請求項２】
請求項１に記載の方法であって、
前記表示は、
前記ｐＳＩＢがセグメント化されているか否かを示す、ｐＳＩＢ毎のセグメント化表示と、
セグメントの総数の表現と、
ＳＩウィンドウ毎にブロードキャストされるセグメント数の表現と、
セグメント番号を示し、ｐＳＩＢを復号することによって前記無線デバイス（１０、１２０）に取得されるｐＳＩＢメタデータと、
ｐＳＩＢに含まれるセグメント表示と、
の内の１つ以上である、方法。
【請求項３】
請求項１又は２に記載の方法であって、
前記ｐＳＩＢセグメントが連続スケジューリングでスケジューリングされているか否かを判定（４０３）することは、前記ｐＳＩＢのｐＳＩＢセグメントのスケジューリングが、測位ＳＩ期間毎に１つのｐＳＩＢセグメントより多い頻度で行われているか否かを判定することを含む、方法。
【請求項４】
請求項３に記載の方法であって、
前記ｐＳＩＢの前記ｐＳＩＢセグメントは、前記測位ＳＩ期間内の連続するＳＩウィンドウにスケジューリングされる、方法。
【請求項５】
請求項３に記載の方法であって、
前記ｐＳＩＢの複数のｐＳＩＢセグメントは、前記測位ＳＩ期間内の１つの同じＳＩウィンドウにスケジューリングされる、方法。
【請求項６】
請求項１から５のいずれか１項に記載の方法であって、
連続スケジューリングされた前記ｐＳＩＢセグメントを読み出すことは、最後のセグメントインジケータを持つｐＳＩＢセグメントが読み出されるまで、前記ｐＳＩＢの前記ｐＳＩＢセグメントを読み出することを含む、方法。
【請求項７】
請求項１から６のいずれか１項に記載の方法であって、さらに、
前記無線デバイス（１０、１２０）の測位を支援するために、復号された前記測位システム情報を使用することを含む、方法。
【請求項８】
無線デバイス（１０、１２０）に測位システム情報を送信するために無線ネットワークノード（ＲＮＮ）（２０、１１０）によって実行される方法であって、
前記ＲＮＮ（２０、１１０）及び前記無線デバイス（１０、１２０）は、無線通信ネットワーク（１００）で動作し、
前記方法は、
測位支援データ要素が複数のセグメントに分離される必要がある測位システム情報ブロック（ｐＳＩＢ）にマッピングされることを判定（６０２）することと、
ＳＩメッセージに含まれるｐＳＩＢに関する情報を含む測位システム情報ブロードキャストスケジューリング情報（ｐＳＩ）をブロードキャスト（６０３）することと、
ｐＳＩＢがｐＳＩＢセグメントにセグメント化されていることの表示をブロードキャスト（６０４）することと、
前記ｐＳＩＢセグメントを連続スケジューリングでスケジューリング（６０５）してブロードキャストすることと、
を含む方法。
【請求項９】
請求項８に記載の方法であって、
前記表示は、
前記ｐＳＩＢがセグメント化されているか否かを示す、ｐＳＩＢ毎のセグメント化表示と、
セグメントの総数の表現と、
ＳＩウィンドウ毎にブロードキャストされるセグメント数の表現と、
セグメント番号を示し、ｐＳＩＢを復号することによって前記無線デバイス（１０、１２０）に取得されるｐＳＩＢメタデータと、
ｐＳＩＢに含まれるセグメント表示と、
の内の１つ以上である、方法。
【請求項１０】
請求項８又は９に記載の方法であって、
前記ｐＳＩＢセグメントを連続スケジューリングでスケジューリング（６０５）することは、前記ｐＳＩＢの前記ｐＳＩＢセグメントを、測位ＳＩ期間毎に前記ｐＳＩＢの１つのｐＳＩＢセグメントより多い頻度でスケジューリングすることを含む、方法。
【請求項１１】
請求項１０に記載の方法であって、
前記ｐＳＩＢの前記ｐＳＩＢセグメントは、前記測位ＳＩ期間内の連続するＳＩウィンドウにスケジューリングされる、方法。
【請求項１２】
請求項１０に記載の方法であって、
前記ｐＳＩＢの複数のｐＳＩＢセグメントは、前記測位ＳＩ期間内の１つの同じＳＩウィンドウにスケジューリングされる、方法。
【請求項１３】
請求項８から１２のいずれか１項に記載の方法であって、さらに、
前記無線通信ネットワーク（１００）で動作するネットワークノード（３０、１３２）から１つ以上の測位支援データ要素を取得（６０１）することを含む、方法。
【請求項１４】
無線ネットワークノード（ＲＮＮ）（２０、１１０）から測位システム情報を受信する無線デバイス（１０、１２０）であって、
前記無線デバイス（１０、１２０）及び前記無線ネットワークノード（２０、１１０）は、無線通信ネットワーク（１００）で動作する様に構成され、
前記無線デバイス（１０、１２０）は、
前記無線ネットワークノード（２０、１１０）から、システム情報（ＳＩ）メッセージに含まれる測位システム情報ブロック（ｐＳＩＢ）に関する情報を含む測位システム情報ブロードキャストスケジューリング情報（ｐＳＩ）を受信し、
前記ＲＮＮ（２０、１１０）から、ｐＳＩＢがｐＳＩＢセグメントにセグメント化されているという表示を受信し、
前記表示及び前記ｐＳＩに基づいて、前記ｐＳＩＢセグメントが連続スケジューリングでスケジューリングされているか否かを判定し、
前記ｐＳＩＢセグメントが連続スケジューリングでスケジューリングされていると判定した場合、スケジューリングされたリソースを監視（４０４）し、連続スケジューリングされた前記ｐＳＩＢセグメントを読み出し、
読み出した前記ｐＳＩＢセグメントの測位システム情報を復号（４０５）する様に構成される、無線デバイス。
【請求項１５】
請求項１４に記載の無線デバイス（１０、１２０）であって、
前記表示は、
前記ｐＳＩＢがセグメント化されているか否かを示す、ｐＳＩＢ毎のセグメント化表示と、
セグメントの総数の表現と、
ＳＩウィンドウ毎にブロードキャストされるセグメント数の表現と、
セグメント番号を示し、ｐＳＩＢを復号することによって前記無線デバイス（１２０）に取得されるｐＳＩＢメタデータと、
ｐＳＩＢに含まれるセグメント表示と、
の内の１つ以上である、無線デバイス。
【請求項１６】
請求項１４又は１５に記載の無線デバイス（１０、１２０）であって、
前記無線デバイス（１０、１２０）は、前記ｐＳＩＢのｐＳＩＢセグメントのスケジューリングが、測位ＳＩ期間毎に１つのｐＳＩＢセグメントより多い頻度で行われているか否かを判定する様にさらに構成されることで、前記ｐＳＩＢセグメントが連続スケジューリングでスケジューリングされているか否かを判定する様に構成される、無線デバイス。
【請求項１７】
請求項１６に記載の無線デバイス（１０、１２０）であって、
前記ｐＳＩＢの前記ｐＳＩＢセグメントは、前記測位ＳＩ期間内の連続するＳＩウィンドウにスケジューリングされる、無線デバイス。
【請求項１８】
請求項１６に記載の無線デバイス（１０、１２０）であって、
前記ｐＳＩＢの複数のｐＳＩＢセグメントは、前記測位ＳＩ期間内の１つの同じＳＩウィンドウにスケジューリングされる、無線デバイス。
【請求項１９】
無線デバイス（１０、１２０）に測位システム情報を送信する無線ネットワークノード（ＲＮＮ）（２０、１１０）であって、
前記ＲＮＮ（２０、１１０）及び前記無線デバイス（１０、１２０）は、無線通信ネットワーク（１００）で動作し、
前記ＲＮＮ（２０、１１０）は、
測位支援データ要素が複数のセグメントに分離される必要がある測位システム情報ブロック（ｐＳＩＢ）にマッピングされることを判定し、
ＳＩメッセージに含まれるｐＳＩＢに関する情報を含む測位システム情報ブロードキャストスケジューリング情報（ｐＳＩ）をブロードキャスト（６０３）し、
ｐＳＩＢがｐＳＩＢセグメントにセグメント化されていることの表示をブロードキャスト（６０４）し、
前記ｐＳＩＢセグメントを連続スケジューリングでスケジューリング（６０５）してブロードキャストする様に構成される、ＲＮＮ。
【請求項２０】
請求項１９に記載のＲＮＮ（２０、１１０）であって、
前記表示は、
前記ｐＳＩＢがセグメント化されているか否かを示す、ｐＳＩＢ毎のセグメント化表示と、
セグメントの総数の表現と、
ＳＩウィンドウ毎にブロードキャストされるセグメント数の表現と、
セグメント番号を示し、ｐＳＩＢを復号することによって前記無線デバイス（１２０）に取得されるｐＳＩＢメタデータと、
ｐＳＩＢに含まれるセグメント表示と、
の内の１つ以上である、ＲＮＮ。
【請求項２１】
請求項１９又は２０に記載のＲＮＮ（２０、１１０）であって、
前記ＲＮＮ（２０、１１０）は、前記ｐＳＩＢの前記ｐＳＩＢセグメントを、測位ＳＩ期間毎に前記ｐＳＩＢの１つのｐＳＩＢセグメントより多い頻度でスケジューリングする様にさらに構成されることにより、前記ｐＳＩＢセグメントを連続スケジューリングでスケジューリングする様に構成される、ＲＮＮ。
【国際調査報告】
2021520696.tif 000027
2021520696.tif 000028
2021520696.tif 000029
2021520696.tif 000030